(57)【要約】  光ディスク記録再生装置は、光ディスク９を回転させるためのターンテーブル７と、光ディスク９に対して情報を記録及び再生するための光学ヘッド３とを備え、コリメータレンズ１６を駆動するステッピングモータ１３が光学ヘッド３のヘッドベース１７に搭載され、ステッピングモータ１３のステータ４２の一部が、ヘッドカバー１４の開口部１４ａ、フレキシブル基板１５の開口部１５ａ及びカバー４１の開口部１３ａと、カバー４１の開口部１３ｂとから露出される。
2008023575.tif 000002
【特許請求の範囲】
【請求項１】
光ディスクを回転させるための回転部材と、
前記光ディスクに対して情報を記録及び／又は再生するための光学ヘッドとを備え、
前記光学ヘッドは、
光を出射する光源と、
前記光源から出射された光を前記光ディスク上に集光する対物レンズと、
前記対物レンズを前記光ディスクのフォーカス方向及びトラッキング方向に駆動する対物レンズアクチュエータと、
前記光源と前記対物レンズとの間の光路中に配置される可動部材と、
前記可動部材を駆動する駆動部材と、
前記光源、前記対物レンズアクチュエータ、前記可動部材及び前記駆動部材が搭載される光学ベースとを備え、
前記駆動部材は、ロータ及びステータを備え、前記ステータの少なくとも一部が露出されることを特徴とする光ディスク記録再生装置。
【請求項２】
前記駆動部材は、
前記ロータ及び前記ステータを内包するカバー部材を備え、
前記カバー部材は、前記ステータの少なくとも一部を露出する開口部を有することを特徴とする請求項１記載の光ディスク記録再生装置。
【請求項３】
前記開口部は、前記光ディスクの半径方向に略平行な方向に沿って形成された長孔を含むことを特徴とする請求項２記載の光ディスク記録再生装置。
【請求項４】
前記長孔は、前記カバー部材の前記光ディスクに対向する位置に設けられることを特徴とする請求項３記載の光ディスク記録再生装置。
【請求項５】
前記長孔は、
前記カバー部材の前記光ディスクに対向する位置に設けられる第１の長孔と、
前記カバー部材の前記光ディスクと反対側の位置に設けられる第２の長孔とを含むことを特徴とする請求項３記載の光ディスク記録再生装置。
【請求項６】
前記長孔は、前記カバー部材の前記光ディスクと反対側の位置に設けられることを特徴とする請求項３記載の光ディスク記録再生装置。
【請求項７】
前記カバー部材は、非磁性材料からなることを特徴とする請求項２〜６のいずれかに記載の光ディスク記録再生装置。
【請求項８】
前記開口部は、前記駆動部材の長軸方向に沿って形成された長孔を含み、
前記回転部材は、前記光ディスクが装着される円形形状のターンテーブルを含み、
前記長孔は、前記光学ヘッドが前記光ディスクに対して最内周位置にあるとき、前記ターンテーブルの外周縁に接し且つ前記光学ヘッドの移動方向と直交する直線より前記光ディスクの内周側に位置することを特徴とする請求項２〜７のいずれかに記載の光ディスク記録再生装置。
【請求項９】
前記光学ベースに固定され、前記光学ベースの少なくとも一部を覆うベースカバー部材をさらに備え、
前記ベースカバー部材は、前記カバー部材の開口部に対応する位置に設けられたベース用開口部を有することを特徴とする請求項２〜８のいずれかに記載の光ディスク記録再生装置。
【請求項１０】
前記ベースカバー部材は、前記ベース用開口部の周縁のうち前記光ディスクの回転による気流の風上位置に、前記駆動部材の内側に気流を案内するための凹部を有することを特徴とする請求項９記載の光ディスク記録再生装置。
【請求項１１】
前記ベースカバー部材は、前記ベース用開口部の周縁のうち前記光ディスクの回転による気流の風下位置に、前記駆動部材の内側に気流を案内するための凸部を有することを特徴とする請求項９又は１０記載の光ディスク記録再生装置。
【請求項１２】
前記光学ヘッドを前記光ディスクの半径方向に移動させる光学ヘッド移動部材と、
前記光学ヘッド、前記回転部材及び前記光学ヘッド移動部材を保持するドライブベース部材と、
前記光学ヘッド、前記光学ヘッド移動部材及び前記ドライブベース部材の少なくとも一部を覆うドライブカバー部材とをさらに備え、
前記ドライブカバー部材は、前記カバー部材の開口部に対向する位置に設けられたドライブ用開口部を有することを特徴とする請求項２〜１１のいずれかに記載の光ディスク記録再生装置。
【請求項１３】
前記駆動部材は、前記光学ベースにおける前記光ディスクの回転による気流の風下位置に配置されることを特徴とする請求項１〜１２のいずれかに記載の光ディスク記録再生装置。
【請求項１４】
前記可動部材は、前記光学ヘッドの球面収差を補正するためのコリメータレンズを含むことを特徴とする請求項１〜１３のいずれかに記載の光ディスク記録再生装置。
【請求項１５】
光を出射する光源と、
前記光源から出射された光を前記光ディスク上に集光する対物レンズと、
前記対物レンズを前記光ディスクのフォーカス方向及びトラッキング方向に駆動する対物レンズアクチュエータと、
前記光源と前記対物レンズとの間の光路中に配置される可動部材と、
前記可動部材を駆動する駆動部材と、
前記光源、前記対物レンズアクチュエータ、前記可動部材及び前記駆動部材が搭載される光学ベースとを備え、
前記駆動部材は、ロータ及びステータを備え、前記ステータの少なくとも一部が露出されることを特徴とする光学ヘッド。
【発明の詳細な説明】
【技術分野】
【０００１】
本発明は、光ディスクに対して情報を記録及び／又は再生するための光学ヘッド及び該光学ヘッドを用いた光ディスク記録再生装置に関するものである。
【背景技術】
【０００２】
通常、ＤＶＤ、ＣＤ等の光ディスクは、情報が記録される記録層上に光透過層を有しており、この光透過層を介して記録層に光を照射することにより、情報の記録や再生が行われる。このとき、光透過層の厚さに誤差があり、規定値からずれていると、当該誤差に起因して球面収差が生じる。この球面収差を補正するために、移動可能に構成されたコリメータレンズを光学ヘッドに搭載し、光透過層の厚さに応じて球面収差を打ち消すようにコリメータレンズを移動させる光ディスク記録再生装置が知られている（例えば、特許文献１参照）。【０００３】
図１４は、従来の光ディスク記録再生装置に用いられるコリメータレンズ駆動機構の構成を示す斜視図である。図１４に示すレンズ駆動機構１６０は、光ディスクの光透過層の厚さに応じて球面収差を打ち消すようにコリメータレンズを移動させるものであり、光軸に対して平行に配置された基準軸１６１及び副基準軸１６２と、これらの基準軸１６１、１６２によって支持されたコリメータレンズホルダ１６３とを備えている。【０００４】
基準軸１６１及び副基準軸１６２は、光学ヘッドの固定部に取り付けられて固定される。また、コリメータレンズホルダ１６３は、これらの基準軸１６１、１６２に対して光軸方向に摺動移動可能に支持される。そして、球面収差を打ち消すように移動操作されるコリメータレンズは、コリメータレンズホルダ１６３に搭載される。すなわち、このレンズ駆動機構１６０は、コリメータレンズホルダ１６３を基準軸１６１及び副基準軸１６２に沿って前後に動かすことにより、コリメータレンズホルダ１６３に搭載されたコリメータレンズを光軸方向に対して平行に前後に動かす。【０００５】
また、レンズ駆動機構１６０は、コリメータレンズホルダ１６３を基準軸１６１及び副基準軸１６２に沿って前後に動かす駆動機構として、コリメータレンズホルダ１６３を動かす駆動源となるＤＣモータ１６４と、ＤＣモータ１６４の回転を光軸方向に沿った平行移動に変換してコリメータレンズホルダ１６３に伝達するギヤ機構１６５とを備えている。そして、ギヤ機構１６５によってＤＣモータ１６４の回転を光軸方向に沿った平行移動へと変換してコリメータレンズホルダ１６３を動かすことにより、光ディスクの光透過層の厚さに応じて、球面収差を打ち消すようにコリメータレンズを移動させる。【０００６】
ギヤ機構１６５は、コリメータレンズホルダ１６３に取り付けられたラック１６６と、ＤＣモータ１６４の回転力を伝達するためにＤＣモータ１６４の回転軸に取り付けられた第１のギヤ１６７と、ＤＣモータ１６４の回転を光軸方向に沿った平行移動に変換するための第２のギヤ１６８と、第２のギヤ１６８によって光軸方向に沿った平行移動に変換された駆動力をラック１６６に伝達するための第３のギヤ１６９とを備える。【０００７】
第３のギヤ１６９から駆動力が伝達されるラック１６６は、ラック１６６と第３のギヤ１６９との間のバックラッシを除去するために、２枚のラック１６６ａ、１６６ｂが重ね合わされた２枚構造となっており、ラック１６６ａ、１６６ｂがバネ１７１により連結されている。【０００８】
レンズ駆動機構１６０を用いてコリメータレンズを移動する際は、ＤＣモータ１６４を回転させる。これにより、第１のギヤ１６７が回転する。第１のギヤ１６７の回転は、第２のギヤ１６８に伝達され、光軸方向に沿った平行移動に変換される。第２のギヤ１６８によって光軸方向に沿った平行移動に変換された駆動力は、第３のギヤ１６９を介してラック１６６に伝達される。【０００９】
ここで、ラック１６６は、コリメータレンズホルダ１６３に取り付けられており、コリメータレンズホルダ１６３は、基準軸１６１、１６２に対して光軸方向に摺動移動可能に支持されている。したがって、第３のギヤ１６９を介してラック１６６に伝達された駆動力により、コリメータレンズホルダ１６３が光軸方向に移動することとなる。これにより、コリメータレンズホルダ１６３に搭載されたコリメータレンズが、光軸方向に移動されることとなる。【００１０】
以上のように構成されたレンズ駆動機構１６０では、コリメータレンズの移動を精度良く行うことができ、光透過層の厚さのばらつきに起因する球面収差を非常に良く打ち消すことが可能となる。【００１１】
一方、ノート型コンピュータ等に搭載されるＤＶＤドライブ等の光ディスク記録再生装置では、ノート型コンピュータ自体の薄型及び軽量化により、光ディスク記録再生装置の薄型及び軽量化が要望されている。【００１２】
しかしながら、上記のレンズ駆動機構１６０を用いた光ディスク記録再生装置では、ＤＣモータ１６４の直径が大きいため、このようなＤＣモータを用いたのでは、光ディスク記録再生装置の薄型化が困難である。【００１３】
また、モータの直径を単純に小径化したのでは、モータのトルクが低下するため、従来と同様のトルクを発生させるためには、より多くの電流を流す必要がある。この場合、この大電流によるモータの発熱量が増加するが、上記のように薄型化した光ディスク記録再生装置では、内部に十分な空間がないため、十分な放熱を行うことができず、トルクが低下したり、モータ自体が故障する等の問題がある。【００１４】
さらに、光ディスクには、ＣＤやＤＶＤ、そして青色レーザを使ってさらなる高密度記録を実現したＢＤ（Ｂｌｕ−ｒａｙ  Ｄｉｓｃ）やＨＤ−ＤＶＤなどがあり、これらの光ディスクの記録及び／又は再生を行うマルチＤＶＤドライブでは、異なる光ディスクに対応した複数種類の対物レンズと、それらの対物レンズに対応する光学系が必要になるため、部品点数が多くなり、光ディスク記録再生装置の薄型化がより困難になるとともに、放熱もより困難になる。
【特許文献１】特開平１１−２５９９０６号公報
【発明の開示】
【００１５】
本発明の目的は、駆動部材からの発熱を十分に放熱できるとともに、駆動部材から発生される粉塵等の異物による悪影響を防止することができ、さらに、光ディスク記録再生装置の薄型化を行うことができる光学ヘッド及び光ディスク記録再生装置を提供することである。
【００１６】
本発明の一局面に従う光ディスク記録再生装置は、光ディスクを回転させるための回転部材と、前記光ディスクに対して情報を記録及び／又は再生するための光学ヘッドとを備え、前記光学ヘッドは、光を出射する光源と、前記光源から出射された光を前記光ディスク上に集光する対物レンズと、前記対物レンズを前記光ディスクのフォーカス方向及びトラッキング方向に駆動する対物レンズアクチュエータと、前記光源と前記対物レンズとの間の光路中に配置される可動部材と、前記可動部材を駆動する駆動部材と、前記光源、前記対物レンズアクチュエータ、前記可動部材及び前記駆動部材が搭載される光学ベースとを備え、前記駆動部材は、ロータ及びステータを備え、前記ステータの少なくとも一部が露出される。
【００１７】
上記の構成により、駆動部材のステータの少なくとも一部が露出されているので、光ディスクの回転による気流によって駆動部材からの発熱を十分に放熱することができるとともに、駆動部材から発生される粉塵等の異物も、この気流の流れに沿って光ディスクから遠ざかる方向へ排出されるので、駆動部材から発生される粉塵等の異物による悪影響を防止することができ、さらに、駆動部材のステータの少なくとも一部が露出され、当該露出部分に配置される部材を省略することができるので、駆動部材を小さくして光学ヘッドを薄型化することができ、光ディスク記録再生装置の薄型化を行うことができる。
【図面の簡単な説明】
【００１８】
【図１】本発明の第１の実施の形態による光ディスク記録再生装置の構成を示す斜視図である。
【図２】図１に示す光学ヘッドの構成を示す斜視図である。
【図３】図２に示す光学ヘッドからヘッドカバーを取り外した状態を示す斜視図である。
【図４】図１乃至図３に示す光学ヘッドの光学系の構成を示す模式図である。
【図５】図４に示す球面収差補正機構の構成を示す斜視図である。
【図６】図１に示す光ディスク記録再生装置における光ディスクの回転による気流の水平方向の流れを説明するための模式図である。
【図７】図１に示す光ディスク記録再生装置における光ディスクの回転による気流の垂直方向の流れを説明するための断面模式図である。
【図８】本発明の第２の実施の形態による光ディスク記録再生装置に用いられる開口部の構成を示す断面模式図である。
【図９】本発明の第３の実施の形態による光ディスク記録再生装置に用いられる開口部の構成を示す断面模式図である。
【図１０】本発明の第４の実施の形態による光ディスク記録再生装置に用いられる開口部の構成を示す断面模式図である。
【図１１】本発明の第５の実施の形態による光ディスク記録再生装置に用いられる開口部の構成を示す断面模式図である。
【図１２】本発明の第６の実施の形態による光ディスク記録再生装置に用いられる開口部の構成を示す断面模式図である。
【図１３】本発明の第７の実施の形態による光ディスク記録再生装置に用いられる開口部の構成を示す断面模式図である。
【図１４】従来の光ディスク記録再生装置に用いられるコリメータレンズ駆動機構の構成を示す斜視図である。
【発明を実施するための最良の形態】
【００１９】
以下、本発明の各実施の形態について、図面を参照しながら説明する。図１は、本発明の第１の実施の形態による光ディスク記録再生装置の構成を示す斜視図であり、図２は、図１に示す光学ヘッドの構成を示す斜視図であり、図３は、図２に示す光学ヘッドからヘッドカバーを取り外した状態を示す斜視図である。なお、図１では、図示を容易にするためにドライブカバー２及びメカニカルベース５等を保持するドライブベース、ドライブ全体を覆う全体ケース等の図示を省略している。【００２０】
図１に示す光ディスク記録再生装置１は、ドライブカバー２、光学ヘッド３、一対のガイド軸４、メカニカルベース５、送りモータ６、ターンテーブル７、及びフレキシブル基板８を備える。図２及び図３に示すように、光学ヘッド３は、２種類の対物レンズ１１、対物レンズアクチュエータ１２、ステッピングモータ１３、ヘッドカバー１４、フレキシブル基板１５、コリメータレンズ１６及びヘッドベース１７を備える。【００２１】
図１に示すように、一対のガイド軸４の両端は、メカニカルベース５に固定され、ガイド軸４は、光学ヘッド３を光ディスクの半径方向に移動可能な状態で支持する。送りモータ６は、メカニカルベース５に取付けられ、ラックアンドピニオン等の回転運動を直線運動に変換する変換機構を用いて光学ヘッド３を光ディスクの半径方向に移動させる。【００２２】
ターンテーブル７は、円形形状を有し、メカニカルベース５に回転可能に保持され、下部に配置されたＤＤモータ（図示省略）等により回転され、光ディスクを所定方向に回転させる。フレキシブル基板８の一端は、フレキシブル基板１５として光学ヘッド３に固定され、光学ヘッド３の動作を制御するために使用される各種信号及び電力等を供給する。【００２３】
ドライブカバー２は、２つの開口部２ａ、２ｂを有する樹脂又は板金部材等から構成され、メカニカルベース５に固定される。開口部２ａは、ターンテーブル７にチャッキングされる光ディスクの半径方向と平行な方向（光学ヘッド３の移動方向と平行な方向）に沿って長辺を有する長方形の長孔であり、光学ヘッド３の全可動範囲に対してステッピングモータ１３の開口部１３ａを露出可能な大きさを有している。開口部２ｂは、光ディスクを着脱可能なようにターンテーブル７を露出する円形開口部と、光学ヘッド３が光ディスクの半径方向における移動される際に、少なくとも対物レンズ１１を露出可能な長方形開口部とを一体にした開口部である。なお、開口部２ａの形状は、上記の例に特に限定されず、楕円形状、角部をＲ形状にした長方形形状等の種々の形状を採用することができ、また、その数も２以上の複数にしてもよい。【００２４】
また、メカニカルベース５の一方端部には、壁面５ａが形成され、壁面５ａに矩形形状の切り欠き部５ｂが設けられており、後述する気流が切り欠き部５ｂを介してメカニカルベース５の外部へ円滑に排気される。なお、切り欠き部５ｂの形状は、上記の例に特に限定されず、種々の形状を採用することができ、また、切り欠き部の代わりに矩形形状等の孔を設けていてもよい。【００２５】
図２及び図３に示すように、対物レンズアクチュエータ１２は、ヘッドベース１７に取付けられ、２種類の対物レンズ１１を保持する対物レンズホルダと、対物レンズホルダを移動可能に支持するサスペンションと、対物レンズホルダを移動させるための磁気回路及びフォーカスコイル及びトラッキングコイルと、磁気回路等を保持するアクチュエータベースとから構成される。【００２６】
対物レンズアクチュエータ１２は、フォーカスコイル及びトラッキングコイルに所定の駆動電流を印加されることにより、２種類の対物レンズ１１のうち一の対物レンズを光ディスクの記録トラックに対してフォーカス方向（光ディスクの記録面に対して実質的に垂直な方向）及びトラッキング方向（光ディスクの記録トラックに対して実質的に垂直な方向）に駆動し、光ディスク上に所定の光スポットを形成する。この光スポットを用いて、光ディスクに情報が記録及び／又は光ディスクから情報が再生される。【００２７】
図２に示すように、ヘッドカバー１４は、ヘッドベース１７に固定され、光学ヘッド３の上面をカバーする。ヘッドカバー１４は、板金部材等から構成され、２つの開口部１４ａ、１４ｂを有する。開口部１４ａは、ターンテーブル７にチャッキングされる光ディスクの半径方向と平行な方向（光学ヘッド３の移動方向（ラジアル方向）と直交する方向（タンジェンシャル方向））に沿って長辺を執する長方形の長孔である。開口部１４ｂは、対物レンズアクチュエータ１２の上面を露出する。なお、開口部１４ａの形状は、上記の例に特に限定されず、楕円形状、角部をＲ形状にした長方形形状等の種々の形状を採用することができ、また、その数も２以上の複数にしてもよい。また、開口部１４ａの領域を露出することができれば、開口部１４ａを省略してもよい。また、ヘッドカバー１４の形状も、上記の例に特に限定されず、種々の変更が可能であり、ヘッドカバー自体を省略したり、光学ヘッド３の裏面のみにヘッドカバーを設けるようにしてもよい。【００２８】
図３に示すように、フレキシブル基板１５は、ヘッドベース１７に固定され、光学ヘッド３の上面の所定部分をカバーする。フレキシブル基板１５には、所定の信号及び電力供給に使用される複数の配線が形成されるとともに、開口部１５ａが形成されている。開口部１５ａは、ターンテーブル７にチャッキングされる光ディスクの半径方向と平行な方向（光学ヘッド３の移動方向と直交する方向）に沿って長辺を有する長方形の長孔であり、開口部１４ａと同一形状を有している。なお、開口部１５ａの形状は、上記の例に特に限定されず、楕円形状、角部をＲ形状にした長方形形状等の種々の形状を採用することができ、また、その数も２以上の複数にしてもよい。また、開口部１５ａの領域を露出することができれば、開口部１５ａを省略してもよい。また、フレキシブル基板１５の形状も、上記の例に特に限定されず、種々の変更が可能であり、フレキシブル基板自体を省略したり、光学ヘッド３の裏面のみにフレキシブル基板を設けるようにしてもよい。さらに、フレキシブル基板１５は、単層又は多層（例えば、２層又は３層）のフレキシブル基板のいずれを用いてもよい。【００２９】
ステッピングモータ１３は、ヘッドベース１７に取り付けられ、コリメータレンズ１６を駆動する。ステッピングモータ１３には、開口部１４ａ及び開口部１５ａに対応する位置に開口部１３ａが形成され、開口部１３ａは、開口部１４ａ及び開口部１５ａと同一形状を有している。なお、開口部１３ａの形状は、上記の例に特に限定されず、楕円形状、角部をＲ形状にした長方形形状等の種々の形状を採用することができ、また、その数も２以上の複数にしてもよい。【００３０】
また、図２は、光学ヘッド３が光ディスクに対して最内周位置にある状態を示しており、ステッピングモータ１３の開口部１３ａは、ステッピングモータ１３の長軸方向に沿って形成された長孔であり、光学ヘッド３が光ディスクに対して最内周位置にあるとき、開口部１３ａは、ターンテーブル７の外周円に接し且つ光学ヘッド３の移動方向ＭＤと直交する直線（ターンテーブル７の外周円のタンジェンシャル方向の接線）ＴＬより光ディスクの内周側すなわち光学ヘッド３の左斜め上の位置に配置されている。この場合、ステッピングモータ１３の長軸方向に沿って形成された開口部１３ａを介して光ディスクの回転による気流によってステータ及びロータを十分に空冷し、ステッピングモータ１３からの発熱を十分に放熱することができる。また、光学ヘッド３が光ディスクに対して最内周位置にあるとき、開口部１３ａすなわちステッピングモータ１３が直線ＴＬより光ディスクの内周側に位置しているので、対物レンズ１１をできるだけターンテーブル７側に近接させて配置し且つ対物レンズ１１等の光学部品を配置した残りのスペースにステッピングモータ１３を配置することができ、光学ヘッド３をより小型化することができる。【００３１】
図４は、図１乃至図３に示す光学ヘッドの光学系の構成を示す模式図であり、図５は、図４に示す球面収差補正機構の構成を示す斜視図である。図４に示す光学ヘッド３は、対物レンズ１１ａ、１１ｂ（図１等に示す対物レンズ１１）、ステッピングモータ１３、半導体レーザ２１ａ、２１ｂ、偏光ビームスプリッター２２ａ、２２ｂ、２３、コリメータレンズ１６、立上ミラー２４ａ、２４ｂ、波長板２５ａ、２５ｂ、光検出器２６ａ、２６ｂ、３枚のギア３１〜３３、駆動シャフト３４、ラック部３５及び一対のガイド軸３６を備える。また、ステッピングモータ１３、３枚のギア３１〜３３、駆動シャフト３４、ラック部３５及び一対のガイド軸３６から球面収差補正機構が構成される。【００３２】
ここで、本実施の形態では、光ディスク９として、保護層（光透過層）厚みが約０．１ｍｍのＢＤ、保護層厚みが約０．６ｍｍのＤＶＤ、及び保護層厚みが約１．２ｍｍのＣＤを用いるものとし、光学ヘッド３は、以下のようにして、３種類の光ディスクに対して情報を記録及び再生する。【００３３】
まず、図４に示すように、ＣＤ又はＤＶＤに対しては、半導体レーザ２１ａは、２つの波長（６６０ｎｍ、７８０ｎｍ）のレーザ光のうち一方を出射し、偏光ビームスプリッター２２ａ、２３は、半導体レーザ２１ａからのレーザ光を透過してコリメータレンズ１６に導く。コリメータレンズ１６は、偏光ビームスプリッター２３からのレーザ光を平行光に変換して光ビームを立上ミラー２４ａへ導く。このとき、ステッピングモータ１３は、ＣＤ又はＤＶＤの保護層厚みに応じてコリメータレンズ１６の位置を調整し、球面収差が補正される。【００３４】
具体的には、図５に示すように、ステッピングモータ１３は、３枚のギア３１〜３３を順次回転させて駆動シャフト３４を回転させる。駆動シャフト３４には、ネジ部が形成されており、このネジ部にラック部３５が係合して駆動シャフト３４の回転運動がラック部３５の直線運動に変換される。コリメータレンズ１６は、ラック部３５に保持され、ラック部３５は、ガイド軸３６により移動可能に支持されている。したがって、ラック部３５の移動とともにコリメータレンズ１６が移動され、光ディスク９の保護層厚みに応じてコリメータレンズ１６の位置が調整され、保護層厚みの差及びそのバラツキによる球面収差が補正される。なお、図５において、実線で示すコリメータレンズ１６の位置は、コリメータレンズ１６が最も偏光ビームスプリッター２３側に移動された位置であり、一点鎖線で示すコリメータレンズ１６の位置は、コリメータレンズ１６が最も立上ミラー２４ａ側に移動された位置である。【００３５】
再び、図４を参照して、立上ミラー２４ａは、波長６６０ｎｍ又は７８０ｎｍのレーザ光を反射し、波長板２５ａを介して対物レンズ１１ａに導く。対物レンズ１１ａは、ＤＶＤ及びＣＤに対応したＮＡ０．６５の対物レンズであり、光ディスク９の記録面に所定の光スポットを形成する。光ディスク９の記録面によって反射された光ビームは、波長板２５ａを介して立上ミラー２４ａに導かれ、立上ミラー２４ａは、波長６６０ｎｍ又は７８０ｎｍのレーザ光を反射し、コリメータレンズ１６及び偏光ビームスプリッター２３を介して偏光ビームスプリッター２２ａに導く。偏光ビームスプリッター２２ａは、波長６６０ｎｍ又は７８０ｎｍのレーザ光を反射して光検出器２６ａに導き、光検出器２６ａは、波長６６０ｎｍ又は７８０ｎｍの反射光を検出する。【００３６】
次に、ＢＤに対しては、半導体レーザ２１ｂは、波長４０５ｎｍのレーザ光を出射し、偏光ビームスプリッター２２ｂは、半導体レーザ２１ｂからのレーザ光を透過して偏光ビームスプリッター２３に導く。偏光ビームスプリッター２３は、波長４０５ｎｍのレーザ光を反射してコリメータレンズ１６に導く。コリメータレンズ１６は、偏光ビームスプリッター２３からのレーザ光を平行光に変換して光ビームを立上ミラー２４ａへ導く。このとき、上記と同様にして、ステッピングモータ１３は、ＢＤの保護層厚みに応じてコリメータレンズ１６の位置を調整し、球面収差が補正される。【００３７】
立上ミラー２４ａは、波長４０５ｎｍのレーザ光を透過し、立上ミラー２４ｂは、波長４０５ｎｍのレーザ光を反射し、波長板２５ｂを介して対物レンズ１１ｂに導く。対物レンズ１１ｂは、ＢＤに対応したＮＡ０．８５の対物レンズであり、光ディスク９の記録面に所定の光スポットを形成する。光ディスク９の記録面により反射された光ビームは、波長板２５ｂを介して立上ミラー２４ｂに導かれ、立上ミラー２４ｂは、波長４０５ｎｍのレーザ光を反射し、立上ミラー２４ａに導く。立上ミラー２４ａは、波長４０５ｎｍのレーザ光を透過し、コリメータレンズ１６を介して偏光ビームスプリッター２３に導く。偏光ビームスプリッター２３、２２ｂは、波長４０５ｎｍのレーザ光を反射して光検出器２６ｂに導き、光検出器２６ｂは、波長４０５ｎｍの反射光を検出する。【００３８】
また、図５に示すように、ステッピングモータ１３は、カバー４１、ステータ４２及びロータ４３（図７参照）を備える。ステッピングモータ１３の動作原理は、公知のステッピングと同様に、回転軸に取付けられた磁石からなるロータ４３の外周に、櫛歯形状のヨーク（例えば、８枚のヨーク）、ボビン及びコイルから構成される電磁石であるステータ４２を配置し、櫛歯形状のヨークの極性を順次切り替えていくことによりロータ４３を回転させるものである。【００３９】
カバー４１は、ステータ４２及びロータ４３を内包してステータ４２及びロータ４３を保護する。カバー４１は、非磁性材料の樹脂又は板金部材等から構成され、円筒形状を有している。カバー４１には、ロータ４３の回転軸を回転可能に支持する軸受が設けられている。【００４０】
通常の丸型モータでは、外装ケースが磁性を帯びていると、内部の磁気回路の効率が落ちる（外装ケース側に一部の磁気が飛ぶ）ため、磁性材料を用いて外装ケースを構成し、最後に焼鈍（やきなまし）することで磁気を取り、外装ケースを非磁性としている。一方、ステッピングモータ１３では、最初からカバー４１に非磁性材料（例えば、ＳＵＳ３０４系）を使用し、加工しても磁性を帯びない構成としている。このように、カバー４１に非磁性材料を用いる理由は、後で焼鈍すると、寸法変化及び歪みが発生するので、加工後の焼鈍ができず、また、カバー４１には開口部１３ａが形成されているので、カバー４１が磁性を帯びていると、磁気回路が不連続となり、非磁性材であることが必須となるからである。【００４１】
また、カバー４１には、ヘッドカバー１４の開口部１４ａ及びフレキシブル基板１５の開口部１５ａに対応する位置に開口部１３ａが形成され、開口部１３ａと同一形状を有する開口部１３ｂ（図７参照）がカバー４１の光ディスクと反対側の位置すなわち光ディスク記録再生装置１の下側に形成されている。【００４２】
開口部１３ａは、ターンテーブル７にチャッキングされる光ディスクの半径方向と平行な方向（光学ヘッド３の移動方向と直交する方向）に沿って長辺を有する長方形の長孔であり、ステータ４２の上面の一部（例えば、円筒側面の１／６以上の部分）を露出している。開口部１３ｂは、ターンテーブル７にチャッキングされる光ディスクの半径方向と平行な方向（光学ヘッド３の移動方向と直交する方向）に沿って長辺を有する長方形の長孔であり、ステータ４２の下面の一部（例えば、円筒側面の１／６以上の部分）を露出している。【００４３】
ステータ４２のボビン及びロータ４３は、熱伝導性の樹脂等から構成される。この場合、後述するように、開口部１４ａから開口部１４ｂを通過する気流により、ステッピングモータ１３の駆動によってコイルに発生した熱を、ステータ４２及びロータ４３から効率よく外部に放熱することができる。【００４４】
なお、開口部１３ａ、１３ｂの形状は、上記の例に特に限定されず、楕円形状、角部をＲ形状にした長方形形状等の種々の形状を採用することができ、また、その数も２以上の複数にしてもよい。また、カバー４１を省略してステータをカバーとして共用してもよく、この場合、ステータが全体的に露出され、ステッピングモータ１３の駆動によりコイルに発生した熱をステータ４２を介して効率よく外部に放熱することができる。また、カバーが省略された場合、ロータ４３の回転軸を回転可能に支持する軸受をステータ４２に設けるようにしてもよい。【００４５】
さらに、本発明が適用されるモータは、上記のステッピングモータに特に限定されず、種々のステッピングモータを用いることができるとともに、ＤＣモータ等の他のモータを用いてもよい。また、光学ヘッド３として、３種類の光ディスクに対して情報を記録及び再生する光学ヘッドを例に説明したが、この例に特に限定されず、１種類、２種類又は４種類以上の光ディスクに対して情報を記録及び再生する光学ヘッドでも、光学部品を省略又は付加することにより、本発明を同様に適用することができる。また、本発明の可動部材としては、上記のコリメータレンズ１６に特に限定されず、光学ヘッド３に搭載される他の光学部品等を移動させるようにしてもよい。【００４６】
本実施の形態では、ターンテーブル７が回転部材の一例に相当し、光学ヘッド３が光学ヘッドの一例に相当し、半導体レーザ２１ａ、２１ｂが光源の一例に相当し、対物レンズ１１（１１ａ、１１ｂ）が対物レンズの一例に相当し、対物レンズアクチュエータ１２が対物レンズアクチュエータの一例に相当し、コリメータレンズ１６が可動部材の一例に相当し、ステッピングモータ１３が駆動部材の一例に相当し、ヘッドベース１７が光学ベースの一例に相当し、ロータ４３がロータの一例に相当し、ステータ４２がステータの一例に相当する。また、カバー４１がカバー部材の一例に相当し、開口部１３ａ、１３ｂが開口部又は長孔の一例に相当し、ヘッドカバー１４がベースカバー部材の一例に相当し、開口部１４ａがベース用開口部の一例に相当し、送りモータ６が光学ヘッド移動部材の一例に相当し、メカニカルベース５がドライブベース部材の一例に相当し、ドライブカバー２がドライブカバー部の一例に相当し、開口部２ａがドライブ用開口部の一例に相当する。【００４７】
次に、上記のように構成された光ディスク記録再生装置１におけるステッピングモータ１３の放熱動作について説明する。図６は、図１に示す光ディスク記録再生装置１における光ディスクの回転による気流の水平方向の流れを説明するための模式図であり、図７は、図１に示す光ディスク記録再生装置１における光ディスクの回転による気流の垂直方向の流れを説明するための断面模式図である。なお、図７に示すドライブケース１０は、図１において図示を省略したものであり、図１に示す光ディスク記録再生装置１の全体をカバーする略直方体形状のケースである。【００４８】
光ディスク記録再生装置１の水平方向においては、図６に示すように、ターンテーブル７にチャッキングされた光ディスク９が回転方向（例えば、時計回り）ＲＤに回転されると、光ディスク９とドライブカバー２との間には、矢印で示す方向に気流ＡＦが流れる。この気流ＡＦは、ドライブカバー２の開口部２ａを介してヘッドカバー１４の開口部１４ａ（及びフレキシブル基板１５の開口部１５ａ）に導かれ、ステッピングモータ１３の開口部１３ａ内に流入する。【００４９】
一方、光ディスク記録再生装置１の垂直方向においては、図７に示すように、ターンテーブル７にチャッキングされた光ディスク９が回転されると、光ディスク９とドライブカバー２との間に流れる気流は、ドライブカバー２の開口部２ａと、ヘッドカバー１４の開口部１４ａ及びフレキシブル基板１５の開口部１５ａとを介して、ステッピングモータ１３の上面に導かれる。このとき、ステッピングモータ１３のカバー４１の上面及び下面には、開口部１３ａ及び開口部１３ｂが形成され、また、８枚のステータ４２は、所定の空隙を確保しながら所定間隔でロータ４３の外周部に配置されている。したがって、ヘッドカバー１４の開口部１４ａ及びフレキシブル基板１５の開口部１５ａを介して流入する気流は、隣接するステータ４２間の空隙及びステータ４２とロータ４３との間の空隙に流れ込み、ロータ４３の回転によりステッピングモータ１３の内部を通過した後、ヘッドベース１７とドライブケース１０との間を図中の矢印方向へ流れる。さらに、ヘッドベース１７とドライブケース１０との間を流れる気流は、壁面５ａに形成された切り欠き部５ｂを介してメカニカルベース５の外部へ円滑に排気される。【００５０】
このように、本実施の形態では、光ディスク９の回転による気流が、ドライブカバー２の開口部２ａ、ヘッドカバー１４の開口部１４ａ、フレキシブル基板１５の開口部１５ａカバー４１の開口部１３ａ及び開口部１３ｂの順に流れるので、ステッピングモータ１３の内部、すなわちステータ４２とロータ４３との間に空気を流すことができ、ステッピングモータ１３の駆動により発生した熱を効率よく放熱することができる。この結果、ステッピングモータ１３に十分な駆動電流を供給することができ、ステッピングモータ１３のトルクを向上することができる。【００５１】
また、上記の気流は、光ディスク９とドライブカバー２との間からヘッドベース１７とドライブケース１０との間へ、すなわち光ディスク記録再生装置１の上方から下方へ流れていくので、ステッピングモータ１３の回転軸と軸受との接触部等の摺動部から発生する粉塵又は飛散する潤滑油等の異物を光ディスク９から遠ざかる方向へ移動させることができ、光ディスク９に対して情報を安定的に記録及び再生することができる。【００５２】
さらに、ヘッドベース１７において、ステッピングモータ１３は、対物レンズ１１等の光学部品に対して気流の風下側に配置されているので、ステッピングモータ１３から発生する粉塵等の異物が対物レンズ１１等の光学部品に付着することを防止することができ、光ディスク９に対して情報をより安定的に記録及び再生することができる。【００５３】
また、ステッピングモータ１３のカバー４１の上面及び下面をカットして開口部１３ａ及び開口部１３ｂを形成しているので、ステッピングモータ１３の高さを低くして光学ヘッド３を薄型化することができ、光ディスク記録再生装置１の薄型化を達成することができる。【００５４】
なお、図７は、光学ヘッド３が光ディスク９の最内周側に位置しているときのステッピングモータ１３の状態を示しているが、光学ヘッド３が光ディスク９の最外周側に位置しているときは、ステッピングモータ１３が図中の左側に移動し且つ開口部１５ａが開口部２ａの左側に位置し、上記と同様に気流が流れ、上記と同様の効果を得ることができる。また、光ディスク９の回転方向及びステッピングモータ１３の回転方向も、上記の例に特に限定されず、種々の変更が可能である。【００５５】
次に、本発明の第２の実施の形態による光ディスク記録再生装置について説明する。図８は、本発明の第２の実施の形態による光ディスク記録再生装置に用いられる開口部の構成を示す断面模式図である。なお、第２の実施の形態の光ディスク記録再生装置において、図８に示す部分以外の構成は、図１に示す光ディスク記録再生装置と同様であるので、その図示及び詳細な説明は省略する。【００５６】
図８に示す光ディスク記録再生装置においては、ヘッドカバー１４の開口部１４ａの周縁のうち光ディスクの回転による気流の風上位置、すなわち、光ディスク９の外周側に位置する開口部１４ａの一辺には、ステッピングモータ１３の内側に気流を案内するための凹部（Ｃ面加工により形成された斜面）１４ｃが形成され、ヘッドカバー１４の開口部１４ａの周縁のうち光ディスクの回転による気流の風下位置、すなわち、光ディスク９の回転中心側に位置する開口部１４ａの一辺には、ステッピングモータ１３の内側に気流を案内するための凸部１４ｄが形成されている。【００５７】
この場合、ドライブカバー２の開口部２ａを介して流入する気流は、凹部１４ｃの斜面に沿って円滑にステッピングモータ１３の内側へ導かれるとともに、凸部１４ｄに当接して効率よくステッピングモータ１３の内側へ導かれる。【００５８】
このようにして、本実施の形態では、第１の実施の形態の効果に加え、ヘッドカバー１４の凹部１４ｃ及び凸部１４ｄにより、より多くの気流がステータ４２間の空隙及びステータ４２とロータ４３との間の空隙に効率よく流れ込み、ステッピングモータ１３の駆動によって発生した熱をより効率よく放熱することができる。【００５９】
なお、気流を案内するための凹部及び凸部は、上記の例に特に限定されず、ヘッドカバー１４の開口部１４ａの他の辺にも凹部又は凸部を形成したり、ドライブカバー２の開口部２ａの周縁に形成したり、凹部及び凸部の一方のみを用いたりする等の種々の変更が可能である。【００６０】
次に、本発明の第３の実施の形態による光ディスク記録再生装置について説明する。図９は、本発明の第３の実施の形態による光ディスク記録再生装置に用いられる開口部の構成を示す断面模式図である。なお、第３の実施の形態の光ディスク記録再生装置において、図９に示す部分以外の構成は、図１に示す光ディスク記録再生装置と同様であるので、その図示及び詳細な説明は省略する。【００６１】
図９に示す光ディスク記録再生装置においては、ドライブカバー２、ヘッドカバー１４及びフレキシブル基板１５は、カバー４１の開口部１３ａに対向する位置に開口部を有しておらず、ステッピングモータ１３の上面は閉鎖されている。【００６２】
この場合、光ディスク９の回転による気流は、ステッピングモータ１３及びヘッドベース１７の下面とドライブケース１０の下面との間を流れる。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。この結果、ステッピングモータ１３の駆動によって発生した熱を効率よく放熱することができる。【００６３】
このようにして、本実施の形態では、第１の実施の形態の効果に加え、ドライブカバー２、ヘッドカバー１４及びフレキシブル基板１５によりステッピングモータ１３の上部が完全に閉鎖されているので、ステッピングモータ１３から発生する粉塵等の異物が光ディスク９、対物レンズ１１等の光学部品に付着することを確実に防止することができ、光ディスク９に対して情報をより安定的に記録及び再生することができる。【００６４】
次に、本発明の第４の実施の形態による光ディスク記録再生装置について説明する。図１０は、本発明の第４の実施の形態による光ディスク記録再生装置に用いられる開口部の構成を示す断面模式図である。なお、第４の実施の形態の光ディスク記録再生装置において、図１０に示す部分以外の構成は、図１に示す光ディスク記録再生装置と同様であるので、その図示及び詳細な説明は省略する。【００６５】
図１０に示す光ディスク記録再生装置においては、ドライブカバー２、ヘッドカバー１４及びフレキシブル基板１５は、ステッピングモータ１３の上面に対向する位置に開口部を有しておらず、また、ステッピングモータ１３のカバー４１ａは、下面のみに開口部１３ｂを有し、その上面は閉鎖されている。【００６６】
この場合も、第３の実施の形態と同様に、光ディスク９の回転による気流が図示のように流れ、ステッピングモータ１３の駆動により発生した熱を効率よく放熱することができる。また、本実施の形態では、第３の実施の形態の効果に加え、ドライブカバー２、ヘッドカバー１４、フレキシブル基板１５及びカバー４１ａによりステッピングモータ１３の上部がより完全に閉鎖されているので、ステッピングモータ１３から発生する粉塵等の異物が光ディスク９、対物レンズ１１等の光学部品に付着することをより確実に防止することができ、光ディスク９に対して情報をさらに安定的に記録及び再生することができる。【００６７】
次に、本発明の第５の実施の形態による光ディスク記録再生装置について説明する。図１１は、本発明の第５の実施の形態による光ディスク記録再生装置に用いられる開口部の構成を示す断面模式図である。なお、第５の実施の形態の光ディスク記録再生装置において、図１１に示す部分以外の構成は、図１に示す光ディスク記録再生装置と同様であるので、その図示及び詳細な説明は省略する。【００６８】
図１１に示す光ディスク記録再生装置においては、ステッピングモータ１３のカバー４１ｂは、上面のみに開口部１３ａを有し、その下面は閉鎖されている。ドライブカバー２は、光学ヘッド３が光ディスク９に対する中間記録位置（又は中間再生位置）にあるときに、ヘッドカバー１４の開口部１４ａ、フレキシブル基板１５の開口部１５ａ及びカバー４１ｂの開口部１３ａに対応する位置に開口部２ｃを有しており、開口部２ｃは、開口部１４ａ、開口部１５ａ及び開口部１３ａと同一形状を有し、第１の実施の形態に用いた開口部２ａより小さくなっている。【００６９】
この場合、ターンテーブル７にチャッキングされた光ディスク９が回転されると、光ディスク９とドライブカバー２との間に流れる気流は、ドライブカバー２の開口部２ｃを介してドライブカバー２とヘッドカバー１４との間に流れ込む。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。【００７０】
この結果、本実施の形態では、第１の実施の形態と同様に、ステッピングモータ１３の駆動により発生した熱を効率よく放熱することができる。なお、本実施の形態では、開口部２ｃを光学ヘッド３の中間記録位置（又は中間再生位置）に設けたが、この例に特に限定されず、他の位置に設けてもよい。また、開口部２ｃの大きさを開口部１４ａ等と同一としたが、他の大きさの開口部を用いたり、複数の開口部を設けたりしてもよい。【００７１】
次に、本発明の第６の実施の形態による光ディスク記録再生装置について説明する。図１２は、本発明の第６の実施の形態による光ディスク記録再生装置に用いられる開口部の構成を示す断面模式図である。なお、第６の実施の形態の光ディスク記録再生装置において、図１２に示す部分以外の構成は、図１に示す光ディスク記録再生装置と同様であるので、その図示及び詳細な説明は省略する。【００７２】
図１２に示す光ディスク記録再生装置においては、ドライブカバー２及びフレキシブル基板１５は、カバー４１の開口部１３ａに対向する位置に開口部を有しておらず、一方、ヘッドカバー１４は、開口部１４ａを有しているが、開口部１４ａの位置にフレキシブル基板１５の湾曲部（凸状部分）１５ｂが位置し、湾曲部１５ｂにより開口部１４ａが閉鎖されており、ステッピングモータ１３の上面は閉鎖されている。【００７３】
この場合、光ディスク９の回転による気流は、ステッピングモータ１３及びヘッドベース１７の下面とドライブケース１０の下面との間を流れる。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。この結果、ステッピングモータ１３の駆動によって発生した熱を効率よく放熱することができる。【００７４】
また、ステッピングモータ１３のステータ４２の上部には、フレキシブル基板１５の湾曲部１５ｂのみが位置するため、フレキシブル基板１５の湾曲部１５ｂの上部からステッピングモータ１３の下部までの高さを低くして光学ヘッド３をより薄型化することができ、光ディスク記録再生装置１の薄型化を達成することができる。【００７５】
さらに、湾曲部１５ｂには信号等を伝送するための配線１５ｃが内包されており、一般に配線を内包する部分は配線を内包しない部分より厚くなるが、本実施の形態では、配線１５ｃを内包する湾曲部１５ｂをヘッドカバー１４の開口部１４ａに配置しているので、湾曲部１５ｂの厚さをヘッドカバー１４の厚さまで厚くすることができ、多層配線（例えば、２層又は３層）を有するフレキシブル基板１５を用いても、フレキシブル基板１５の湾曲部１５ｂの上部からステッピングモータ１３の下部までの高さを低くして光学ヘッド３をより薄型化することができ、光ディスク記録再生装置１の薄型化を達成することができる。【００７６】
このようにして、本実施の形態では、第１の実施の形態の効果に加え、ドライブカバー２及びフレキシブル基板１５によりステッピングモータ１３の上部が完全に閉鎖されているので、ステッピングモータ１３から発生する粉塵等の異物が光ディスク９、対物レンズ１１等の光学部品に付着することを確実に防止することができ、光ディスク９に対して情報をより安定的に記録及び再生することができる。また、フレキシブル基板１５の湾曲部１５ｂの上部からステッピングモータ１３の下部までの高さを低くして光学ヘッド３を薄型化することができ、光ディスク記録再生装置１の薄型化を達成することができる。【００７７】
次に、本発明の第７の実施の形態による光ディスク記録再生装置について説明する。図１３は、本発明の第７の実施の形態による光ディスク記録再生装置に用いられる開口部の構成を示す断面模式図である。なお、第７の実施の形態の光ディスク記録再生装置において、図１３に示す部分以外の構成は、図１に示す光ディスク記録再生装置と同様であるので、その図示及び詳細な説明は省略する。【００７８】
図１３に示す光ディスク記録再生装置においては、フレキシブル基板１５は、開口部１５ａを有しているが、ドライブカバー２及びヘッドカバー１４は、カバー４１の開口部１３ａに対向する位置に開口部を有しておらず、ステッピングモータ１３の上面は閉鎖されている。【００７９】
この場合、光ディスク９の回転による気流は、ステッピングモータ１３及びヘッドベース１７の下面とドライブケース１０の下面との間を流れる。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。この結果、ステッピングモータ１３の駆動によって発生した熱を効率よく放熱することができる。【００８０】
また、フレキシブル基板１５の開口部１５ａの位置にカバー４１及びステータ４２の上端部が位置し、ステッピングモータ１３のステータ４２の上部には、ヘッドカバー１４のみが位置するため、ヘッドカバー１４の上部からステッピングモータ１３の下部までの高さを低くして光学ヘッド３をより薄型化することができ、光ディスク記録再生装置１の薄型化を達成することができる。【００８１】
このようにして、本実施の形態では、第１の実施の形態の効果に加え、ドライブカバー２及びヘッドカバー１４によりステッピングモータ１３の上部が完全に閉鎖されているので、ステッピングモータ１３から発生する粉塵等の異物が光ディスク９、対物レンズ１１等の光学部品に付着することを確実に防止することができ、光ディスク９に対して情報をより安定的に記録及び再生することができる。また、ヘッドカバー１４の上部からステッピングモータ１３の下部までの高さを低くして光学ヘッド３を薄型化することができ、光ディスク記録再生装置１の薄型化を達成することができる。【００８２】
上記の各実施の形態から、本発明を要約すると、本発明の一局面に従う光ディスク記録再生装置は、光ディスクを回転させるための回転部材と、前記光ディスクに対して情報を記録及び／又は再生するための光学ヘッドとを備え、前記光学ヘッドは、光を出射する光源と、前記光源から出射された光を前記光ディスク上に集光する対物レンズと、前記対物レンズを前記光ディスクのフォーカス方向及びトラッキング方向に駆動する対物レンズアクチュエータと、前記光源と前記対物レンズとの間の光路中に配置される可動部材と、前記可動部材を駆動する駆動部材と、前記光源、前記対物レンズアクチュエータ、前記可動部材及び前記駆動部材が搭載される光学ベースとを備え、前記駆動部材は、ロータ及びステータを備え、前記ステータの少なくとも一部が露出される。【００８３】
この光ディスク記録再生装置においては、光ディスクに対して情報を記録及び／又は再生するための光学ヘッドに対して、光ディスクが回転されるので、光学ヘッドの周囲に気流が発生する。このとき、光学ヘッドの光学ベースには、光源、対物レンズアクチュエータ、可動部材及び駆動部材が搭載され、駆動部材のステータの少なくとも一部が露出されているので、上記の気流により駆動部材からの発熱を十分に放熱することができる。また、光ディスクの回転による気流は、光ディスクと空気との粘性により発生するものであり、光ディスクと空気との接触部分が気流の上流となり、光ディスクから離れる方向へ順次流れていくため、駆動部材から発生される粉塵等の異物も、この気流の流れに沿って光ディスクから遠ざかる方向へ排出されることとなり、駆動部材から発生される粉塵等の異物による悪影響を防止することができる。さらに、駆動部材のステータの少なくとも一部が露出され、当該露出部分に配置される部材を省略することができるので、駆動部材を小さくして光学ヘッドを薄型化することができ、光ディスク記録再生装置の薄型化を行うことができる。【００８４】
前記駆動部材は、前記ロータ及び前記ステータを内包するカバー部材を備え、前記カバー部材は、前記ステータの少なくとも一部を露出する開口部を有することが好ましい。【００８５】
この場合、カバー部材の開口部を介して光ディスクの回転による気流によりステータ及びロータが空冷され、駆動部材からの発熱を十分に放熱することができる。また、カバー部材は、開口部の部分だけ小さくすることができるので、光ディスク記録再生装置の薄型化を行うことができる。【００８６】
前記開口部は、前記光ディスクの半径方向に略平行な方向に沿って形成された長孔を含むことが好ましい。【００８７】
この場合、光ディスクの半径方向に略平行な方向に沿って形成された長孔を介して、光ディスクの回転による気流が十分に駆動部材へ供給されるので、駆動部材からの発熱を十分に放熱することができる。【００８８】
前記長孔は、前記カバー部材の前記光ディスクに対向する位置に設けられることが好ましい。【００８９】
この場合、カバー部材の光ディスクに対向する位置に長孔が設けられているので、光ディスクの回転による気流を直接的に駆動部材へ供給することができ、駆動部材からの発熱を十分に放熱することができる。【００９０】
前記長孔は、前記カバー部材の前記光ディスクに対向する位置に設けられる第１の長孔と、前記カバー部材の前記光ディスクと反対側の位置に設けられる第２の長孔とを含むことが好ましい。【００９１】
この場合、光ディスクの回転による気流は、第１の長孔を介して直接的に駆動部材へ供給され、その後、第２の長孔を介して、光ディスクから遠ざかる方向へ排出されるので、光ディスクの回転による気流を効率よく駆動部材へ供給することができるとともに、駆動部材から発生される粉塵等の異物による悪影響をより確実に防止することができる。【００９２】
前記長孔は、前記カバー部材の前記光ディスクと反対側の位置に設けられることが好ましい。【００９３】
この場合、カバー部材の光ディスクと反対側の位置に長孔が設けられているので、駆動部材から排出された気流が光ディスクと光学ヘッドとの間に直接的に流入することを防止することができ、駆動部材から発生される粉塵等の異物による悪影響をより確実に防止することができる。【００９４】
前記カバー部材は、非磁性材料からなることが好ましい。【００９５】
この場合、カバー部材から磁気を取るために焼鈍する必要がなくなり、寸法変化及び歪みの発生を抑制することができるとともに、カバー部材に開口部が形成されている場合でも、磁気回路が不連続になることがなく、磁気回路の効率を向上して駆動部材のトルクを向上することができる。【００９６】
前記開口部は、前記駆動部材の長軸方向に沿って形成された長孔を含み、前記回転部材は、前記光ディスクが装着される円形形状のターンテーブルを含み、前記長孔は、前記光学ヘッドが前記光ディスクに対して最内周位置にあるとき、前記ターンテーブルの外周縁に接し且つ前記光学ヘッドの移動方向と直交する直線より前記光ディスクの内周側に位置することが好ましい。【００９７】
この場合、駆動部材の長軸方向に沿って形成された長孔を介して光ディスクの回転による気流によってステータ及びロータを十分に空冷し、駆動部材からの発熱を十分に放熱することができる。また、光学ヘッドが光ディスクに対して最内周位置にあるとき、長孔すなわち駆動部材がターンテーブルの外周縁に接し且つ光学ヘッドの移動方向と直交する直線より光ディスクの内周側に位置しているので、対物レンズをできるだけターンテーブル側に近接させて配置し且つ対物レンズ等の光学部品を配置した残りのスペースに駆動部材を配置することができ、光学ヘッドをより小型化することができる。【００９８】
前記光ディスク記録再生装置は、前記光学ベースに固定され、前記光学ベースの少なくとも一部を覆うベースカバー部材をさらに備え、前記ベースカバー部材は、前記カバー部材の開口部に対応する位置に設けられたベース用開口部を有することが好ましい。【００９９】
この場合、光学ベースに配置される光源等の光学部品をベースカバー部材によって覆うことにより、光ディスクの回転により発生される粉塵等の異物が光源等の光学部品に付着することを防止することができるとともに、光ディスクの回転により発生される気流をベース用開口部を介して駆動部材に円滑に導くことができ、駆動部材からの発熱を十分に放熱することができる。【０１００】
前記ベースカバー部材は、前記ベース用開口部の周縁のうち前記光ディスクの回転による気流の風上位置に、前記駆動部材の内側に気流を案内するための凹部を有することが好ましい。【０１０１】
この場合、光ディスクの回転により発生される気流がベース用開口部の凹部に沿って円滑に駆動部材の内側へ導かれるので、駆動部材からの発熱を十分に放熱することができる。【０１０２】
前記ベースカバー部材は、前記ベース用開口部の周縁のうち前記光ディスクの回転による気流の風下位置に、前記駆動部材の内側に気流を案内するための凸部を有することが好ましい。【０１０３】
この場合、光ディスクの回転により発生される気流がベース用開口部の凸部に当接して効率よく駆動部材の内側へ導かれるので、駆動部材からの発熱を十分に放熱することができる。【０１０４】
前記光ディスク記録再生装置は、前記光学ヘッドを前記光ディスクの半径方向に移動させる光学ヘッド移動部材と、前記光学ヘッド、前記回転部材及び前記光学ヘッド移動部材を保持するドライブベース部材と、前記光学ヘッド、前記光学ヘッド移動部材及び前記ドライブベース部材の少なくとも一部を覆うドライブカバー部材とをさらに備え、前記ドライブカバー部材は、前記カバー部材の開口部に対向する位置に設けられたドライブ用開口部を有することが好ましい。【０１０５】
この場合、光学ヘッド、光学ヘッド移動部材及びドライブベース部材等をドライブベース部材によって覆うことにより、光ディスクの回転により発生される粉塵等の異物が光学ヘッドの光学部品等に付着することを防止することができるとともに、光ディスクの回転により発生される気流をドライブ用開口部によって駆動部材に円滑に導くことができ、駆動部材からの発熱を十分に放熱することができる。【０１０６】
前記駆動部材は、前記光学ベースにおける前記光ディスクの回転による気流の風下位置に配置されることが好ましい。【０１０７】
この場合、光学ベースにおいて、駆動部材が光ディスクの回転による気流の風下位置に配置されるので、気流の風上位置に対物レンズ等の光学部品を配置することが可能となり、駆動部材から発生される粉塵等の異物が対物レンズ等の光学部品に付着することを防止することができ、より安定的に光ディスクに対して情報を記録及び／又は再生することができる。【０１０８】
前記可動部材は、前記光学ヘッドの球面収差を補正するためのコリメータレンズを含むことが好ましい。【０１０９】
この場合、コリメータレンズを駆動する駆動部材は、光学ヘッドの球面収差の補正のために常時駆動される傾向が高く、発熱量が大きくなるが、光ディスクの回転による気流によって駆動部材からの発熱を十分に放熱することができる。【０１１０】
本発明の他の局面に従う光学ヘッドは、光を出射する光源と、前記光源から出射された光を前記光ディスク上に集光する対物レンズと、前記対物レンズを前記光ディスクのフォーカス方向及びトラッキング方向に駆動する対物レンズアクチュエータと、前記光源と前記対物レンズとの間の光路中に配置される可動部材と、前記可動部材を駆動する駆動部材と、前記光源、前記対物レンズアクチュエータ、前記可動部材及び前記駆動部材が搭載される光学ベースとを備え、前記駆動部材は、ロータ及びステータを備え、前記ステータの少なくとも一部が露出される。【０１１１】
この光学ヘッドにおいては、当該光学ヘッドに対して光ディスクが回転されるので、光学ヘッドの周囲に気流が発生する。このとき、光学ヘッドの光学ベースには、光源、対物レンズアクチュエータ、可動部材及び駆動部材が搭載され、駆動部材のステータの少なくとも一部が露出されているので、上記の気流により駆動部材からの発熱を十分に放熱することができる。また、光ディスクの回転による気流は、光ディスクと空気との粘性により発生するものであり、光ディスクと空気との接触部分が気流の上流となり、光ディスクから離れる方向へ順次流れていくため、駆動部材から発生される粉塵等の異物も、この気流の流れに沿って光ディスクから遠ざかる方向へ排出されることとなり、駆動部材から発生される粉塵等の異物による悪影響を防止することができる。さらに、駆動部材のステータの少なくとも一部が露出され、当該露出部分に配置される部材を省略することができるので、駆動部材を小さくして光学ヘッドを薄型化することができ、光ディスク記録再生装置の薄型化を行うことができる。
【産業上の利用可能性】
【０１１２】
本発明に係る光学ヘッド及び光ディスク記録再生装置は、駆動部材からの発熱を十分に放熱できるとともに、駆動部材から発生される粉塵等の異物による悪影響を防止することができ、さらに、光ディスク記録再生装置の薄型化を行うことができるので、光ディスクに対して情報を記録及び／又は再生するための光学ヘッド及び該光学ヘッドを用いた光ディスク記録再生装置として有用である。
【図１】
2008023575.tif 000003
【図２】
2008023575.tif 000004
【図３】
2008023575.tif 000005
【図４】
2008023575.tif 000006
【図５】
2008023575.tif 000007
【図６】
2008023575.tif 000008
【図７】
2008023575.tif 000009
【図８】
2008023575.tif 000010
【図９】
2008023575.tif 000011
【図１０】
2008023575.tif 000012
【図１１】
2008023575.tif 000013
【図１２】
2008023575.tif 000014
【図１３】
2008023575.tif 000015
【図１４】
2008023575.tif 000016
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
光ディスクを回転させるための回転部材と、
前記光ディスクに対して情報を記録及び／又は再生するための光学ヘッドとを備え、
前記光学ヘッドは、
光を出射する光源と、
前記光源から出射された光を前記光ディスク上に集光する対物レンズと、
前記対物レンズを前記光ディスクのフォーカス方向及びトラッキング方向に駆動する対物レンズアクチュエータと、
前記光源と前記対物レンズとの間の光路中に配置される可動部材と、
前記可動部材を駆動する駆動部材と、
前記光源、前記対物レンズアクチュエータ、前記可動部材及び前記駆動部材が搭載される光学ベースとを備え、
前記駆動部材は、ロータ及びステータを備え、前記ステータの少なくとも一部が露出されることを特徴とする光ディスク記録再生装置。
【請求項２】
前記駆動部材は、
前記ロータ及び前記ステータを内包するカバー部材を備え、
前記カバー部材は、前記ステータの少なくとも一部を露出する開口部を有することを特徴とする請求項１記載の光ディスク記録再生装置。
【請求項３】
前記開口部は、前記光ディスクの半径方向に略平行な方向に沿って形成された長孔を含むことを特徴とする請求項２記載の光ディスク記録再生装置。
【請求項４】
前記長孔は、前記カバー部材の前記光ディスクに対向する位置に設けられることを特徴とする請求項３記載の光ディスク記録再生装置。
【請求項５】
前記長孔は、
前記カバー部材の前記光ディスクに対向する位置に設けられる第１の長孔と、
前記カバー部材の前記光ディスクと反対側の位置に設けられる第２の長孔とを含むことを特徴とする請求項３記載の光ディスク記録再生装置。
【請求項６】
前記長孔は、前記カバー部材の前記光ディスクと反対側の位置に設けられることを特徴とする請求項３記載の光ディスク記録再生装置。
【請求項７】
前記カバー部材は、非磁性材料からなることを特徴とする請求項２〜６のいずれかに記載の光ディスク記録再生装置。
【請求項８】
前記開口部は、前記駆動部材の長軸方向に沿って形成された長孔を含み、
前記回転部材は、前記光ディスクが装着される円形形状のターンテーブルを含み、
前記長孔は、前記光学ヘッドが前記光ディスクに対して最内周位置にあるとき、前記ターンテーブルの外周縁に接し且つ前記光学ヘッドの移動方向と直交する直線より前記光ディスクの内周側に位置することを特徴とする請求項２〜７のいずれかに記載の光ディスク記録再生装置。
【請求項９】
前記光学ベースに固定され、前記光学ベースの少なくとも一部を覆うベースカバー部材をさらに備え、
前記ベースカバー部材は、前記カバー部材の開口部に対応する位置に設けられたベース用開口部を有することを特徴とする請求項２〜８のいずれかに記載の光ディスク記録再生装置。
【請求項１０】
前記ベースカバー部材は、前記ベース用開口部の周縁のうち前記光ディスクの回転による気流の風上位置に、前記駆動部材の内側に気流を案内するための凹部を有することを特徴とする請求項９記載の光ディスク記録再生装置。
【請求項１１】
前記ベースカバー部材は、前記ベース用開口部の周縁のうち前記光ディスクの回転による気流の風下位置に、前記駆動部材の内側に気流を案内するための凸部を有することを特徴とする請求項９又は１０記載の光ディスク記録再生装置。
【請求項１２】
前記光学ヘッドを前記光ディスクの半径方向に移動させる光学ヘッド移動部材と、
前記光学ヘッド、前記回転部材及び前記光学ヘッド移動部材を保持するドライブベース部材と、
前記光学ヘッド、前記光学ヘッド移動部材及び前記ドライブベース部材の少なくとも一部を覆うドライブカバー部材とをさらに備え、
前記ドライブカバー部材は、前記カバー部材の開口部に対向する位置に設けられたドライブ用開口部を有することを特徴とする請求項２〜１１のいずれかに記載の光ディスク記録再生装置。
【請求項１３】
前記駆動部材は、前記光学ベースにおける前記光ディスクの回転による気流の風下位置に配置されることを特徴とする請求項１〜１２のいずれかに記載の光ディスク記録再生装置。
【請求項１４】
前記可動部材は、前記光学ヘッドの球面収差を補正するためのコリメータレンズを含むことを特徴とする請求項１〜１３のいずれかに記載の光ディスク記録再生装置。
【請求項１５】
光を出射する光源と、
前記光源から出射された光を光ディスク上に集光する対物レンズと、
前記対物レンズを前記光ディスクのフォーカス方向及びトラッキング方向に駆動する対物レンズアクチュエータと、
前記光源と前記対物レンズとの間の光路中に配置される可動部材と、
前記可動部材を駆動する駆動部材と、
前記光源、前記対物レンズアクチュエータ、前記可動部材及び前記駆動部材が搭載される光学ベースとを備え、
前記駆動部材は、ロータ及びステータを備え、前記ステータの少なくとも一部が露出されることを特徴とする光学ヘッド。
【手続補正２】
【補正対象書類名】明細書
【補正対象項目名】全文
【補正方法】変更
【補正の内容】
【発明の詳細な説明】
【技術分野】
【０００１】
本発明は、光ディスクに対して情報を記録及び／又は再生するための光学ヘッド及び該光学ヘッドを用いた光ディスク記録再生装置に関するものである。
【背景技術】
【０００２】
通常、ＤＶＤ、ＣＤ等の光ディスクは、情報が記録される記録層上に光透過層を有しており、この光透過層を介して記録層に光を照射することにより、情報の記録や再生が行われる。このとき、光透過層の厚さに誤差があり、規定値からずれていると、当該誤差に起因して球面収差が生じる。この球面収差を補正するために、移動可能に構成されたコリメータレンズを光学ヘッドに搭載し、光透過層の厚さに応じて球面収差を打ち消すようにコリメータレンズを移動させる光ディスク記録再生装置が知られている（例えば、特許文献１参照）。
【０００３】
図１４は、従来の光ディスク記録再生装置に用いられるコリメータレンズ駆動機構の構成を示す斜視図である。図１４に示すレンズ駆動機構１６０は、光ディスクの光透過層の厚さに応じて球面収差を打ち消すようにコリメータレンズを移動させるものであり、光軸に対して平行に配置された基準軸１６１及び副基準軸１６２と、これらの基準軸１６１、１６２によって支持されたコリメータレンズホルダ１６３とを備えている。
【０００４】
基準軸１６１及び副基準軸１６２は、光学ヘッドの固定部に取り付けられて固定される。また、コリメータレンズホルダ１６３は、これらの基準軸１６１、１６２に対して光軸方向に摺動移動可能に支持される。そして、球面収差を打ち消すように移動操作されるコリメータレンズは、コリメータレンズホルダ１６３に搭載される。すなわち、このレンズ駆動機構１６０は、コリメータレンズホルダ１６３を基準軸１６１及び副基準軸１６２に沿って前後に動かすことにより、コリメータレンズホルダ１６３に搭載されたコリメータレンズを光軸方向に対して平行に前後に動かす。
【０００５】
また、レンズ駆動機構１６０は、コリメータレンズホルダ１６３を基準軸１６１及び副基準軸１６２に沿って前後に動かす駆動機構として、コリメータレンズホルダ１６３を動かす駆動源となるＤＣモータ１６４と、ＤＣモータ１６４の回転を光軸方向に沿った平行移動に変換してコリメータレンズホルダ１６３に伝達するギヤ機構１６５とを備えている。そして、ギヤ機構１６５によってＤＣモータ１６４の回転を光軸方向に沿った平行移動へと変換してコリメータレンズホルダ１６３を動かすことにより、光ディスクの光透過層の厚さに応じて、球面収差を打ち消すようにコリメータレンズを移動させる。
【０００６】
ギヤ機構１６５は、コリメータレンズホルダ１６３に取り付けられたラック１６６と、ＤＣモータ１６４の回転力を伝達するためにＤＣモータ１６４の回転軸に取り付けられた第１のギヤ１６７と、ＤＣモータ１６４の回転を光軸方向に沿った平行移動に変換するための第２のギヤ１６８と、第２のギヤ１６８によって光軸方向に沿った平行移動に変換された駆動力をラック１６６に伝達するための第３のギヤ１６９とを備える。
【０００７】
第３のギヤ１６９から駆動力が伝達されるラック１６６は、ラック１６６と第３のギヤ１６９との間のバックラッシを除去するために、２枚のラック１６６ａ、１６６ｂが重ね合わされた２枚構造となっており、ラック１６６ａ、１６６ｂがバネ１７１により連結されている。
【０００８】
レンズ駆動機構１６０を用いてコリメータレンズを移動する際は、ＤＣモータ１６４を回転させる。これにより、第１のギヤ１６７が回転する。第１のギヤ１６７の回転は、第２のギヤ１６８に伝達され、光軸方向に沿った平行移動に変換される。第２のギヤ１６８によって光軸方向に沿った平行移動に変換された駆動力は、第３のギヤ１６９を介してラック１６６に伝達される。
【０００９】
ここで、ラック１６６は、コリメータレンズホルダ１６３に取り付けられており、コリメータレンズホルダ１６３は、基準軸１６１、１６２に対して光軸方向に摺動移動可能に支持されている。したがって、第３のギヤ１６９を介してラック１６６に伝達された駆動力により、コリメータレンズホルダ１６３が光軸方向に移動することとなる。これにより、コリメータレンズホルダ１６３に搭載されたコリメータレンズが、光軸方向に移動されることとなる。
【００１０】
以上のように構成されたレンズ駆動機構１６０では、コリメータレンズの移動を精度良く行うことができ、光透過層の厚さのばらつきに起因する球面収差を非常に良く打ち消すことが可能となる。
【００１１】
一方、ノート型コンピュータ等に搭載されるＤＶＤドライブ等の光ディスク記録再生装置では、ノート型コンピュータ自体の薄型及び軽量化により、光ディスク記録再生装置の薄型及び軽量化が要望されている。
【特許文献１】特開平１１−２５９９０６号公報
【発明の開示】
【発明が解決しようとする課題】
【００１２】
しかしながら、上記のレンズ駆動機構１６０を用いた光ディスク記録再生装置では、ＤＣモータ１６４の直径が大きいため、このようなＤＣモータを用いたのでは、光ディスク記録再生装置の薄型化が困難である。
【００１３】
また、モータの直径を単純に小径化したのでは、モータのトルクが低下するため、従来と同様のトルクを発生させるためには、より多くの電流を流す必要がある。この場合、この大電流によるモータの発熱量が増加するが、上記のように薄型化した光ディスク記録再生装置では、内部に十分な空間がないため、十分な放熱を行うことができず、トルクが低下したり、モータ自体が故障する等の問題がある。
【００１４】
さらに、光ディスクには、ＣＤやＤＶＤ、そして青色レーザを使ってさらなる高密度記録を実現したＢＤ（Ｂｌｕ−ｒａｙ  Ｄｉｓｃ）やＨＤ−ＤＶＤなどがあり、これらの光ディスクの記録及び／又は再生を行うマルチＤＶＤドライブでは、異なる光ディスクに対応した複数種類の対物レンズと、それらの対物レンズに対応する光学系が必要になるため、部品点数が多くなり、光ディスク記録再生装置の薄型化がより困難になるとともに、放熱もより困難になる。
【００１５】
本発明の目的は、駆動部材からの発熱を十分に放熱できるとともに、駆動部材から発生される粉塵等の異物による悪影響を防止することができ、さらに、光ディスク記録再生装置の薄型化を行うことができる光学ヘッド及び光ディスク記録再生装置を提供することである。
【課題を解決するための手段】
【００１６】
本発明の一局面に従う光ディスク記録再生装置は、光ディスクを回転させるための回転部材と、前記光ディスクに対して情報を記録及び／又は再生するための光学ヘッドとを備え、前記光学ヘッドは、光を出射する光源と、前記光源から出射された光を前記光ディスク上に集光する対物レンズと、前記対物レンズを前記光ディスクのフォーカス方向及びトラッキング方向に駆動する対物レンズアクチュエータと、前記光源と前記対物レンズとの間の光路中に配置される可動部材と、前記可動部材を駆動する駆動部材と、前記光源、前記対物レンズアクチュエータ、前記可動部材及び前記駆動部材が搭載される光学ベースとを備え、前記駆動部材は、ロータ及びステータを備え、前記ステータの少なくとも一部が露出される。
【発明の効果】
【００１７】
上記の構成により、駆動部材のステータの少なくとも一部が露出されているので、光ディスクの回転による気流によって駆動部材からの発熱を十分に放熱することができるとともに、駆動部材から発生される粉塵等の異物も、この気流の流れに沿って光ディスクから遠ざかる方向へ排出されるので、駆動部材から発生される粉塵等の異物による悪影響を防止することができ、さらに、駆動部材のステータの少なくとも一部が露出され、当該露出部分に配置される部材を省略することができるので、駆動部材を小さくして光学ヘッドを薄型化することができ、光ディスク記録再生装置の薄型化を行うことができる。
【発明を実施するための最良の形態】
【００１８】
以下、本発明の各実施の形態について、図面を参照しながら説明する。図１は、本発明の第１の実施の形態による光ディスク記録再生装置の構成を示す斜視図であり、図２は、図１に示す光学ヘッドの構成を示す斜視図であり、図３は、図２に示す光学ヘッドからヘッドカバーを取り外した状態を示す斜視図である。なお、図１では、図示を容易にするためにドライブカバー２及びメカニカルベース５等を保持するドライブベース、ドライブ全体を覆う全体ケース等の図示を省略している。
【００１９】
図１に示す光ディスク記録再生装置１は、ドライブカバー２、光学ヘッド３、一対のガイド軸４、メカニカルベース５、送りモータ６、ターンテーブル７、及びフレキシブル基板８を備える。図２及び図３に示すように、光学ヘッド３は、２種類の対物レンズ１１、対物レンズアクチュエータ１２、ステッピングモータ１３、ヘッドカバー１４、フレキシブル基板１５、コリメータレンズ１６及びヘッドベース１７を備える。
【００２０】
図１に示すように、一対のガイド軸４の両端は、メカニカルベース５に固定され、ガイド軸４は、光学ヘッド３を光ディスクの半径方向に移動可能な状態で支持する。送りモータ６は、メカニカルベース５に取付けられ、ラックアンドピニオン等の回転運動を直線運動に変換する変換機構を用いて光学ヘッド３を光ディスクの半径方向に移動させる。
【００２１】
ターンテーブル７は、円形形状を有し、メカニカルベース５に回転可能に保持され、下部に配置されたＤＤモータ（図示省略）等により回転され、光ディスクを所定方向に回転させる。フレキシブル基板８の一端は、フレキシブル基板１５として光学ヘッド３に固定され、光学ヘッド３の動作を制御するために使用される各種信号及び電力等を供給する。
【００２２】
ドライブカバー２は、２つの開口部２ａ、２ｂを有する樹脂又は板金部材等から構成され、メカニカルベース５に固定される。開口部２ａは、ターンテーブル７にチャッキングされる光ディスクの半径方向と平行な方向（光学ヘッド３の移動方向と平行な方向）に沿って長辺を有する長方形の長孔であり、光学ヘッド３の全可動範囲に対してステッピングモータ１３の開口部１３ａを露出可能な大きさを有している。開口部２ｂは、光ディスクを着脱可能なようにターンテーブル７を露出する円形開口部と、光学ヘッド３が光ディスクの半径方向に移動される際に、少なくとも対物レンズ１１を露出可能な長方形開口部とを一体にした開口部である。なお、開口部２ａの形状は、上記の例に特に限定されず、楕円形状、角部をＲ形状にした長方形形状等の種々の形状を採用することができ、また、その数も２以上の複数にしてもよい。
【００２３】
また、メカニカルベース５の一方端部には、壁面５ａが形成され、壁面５ａに矩形形状の切り欠き部５ｂが設けられており、後述する気流が切り欠き部５ｂを介してメカニカルベース５の外部へ円滑に排気される。なお、切り欠き部５ｂの形状は、上記の例に特に限定されず、種々の形状を採用することができ、また、切り欠き部の代わりに矩形形状等の孔を設けていてもよい。
【００２４】
図２及び図３に示すように、対物レンズアクチュエータ１２は、ヘッドベース１７に取付けられ、２種類の対物レンズ１１を保持する対物レンズホルダと、対物レンズホルダを移動可能に支持するサスペンションと、対物レンズホルダを移動させるための磁気回路及びフォーカスコイル及びトラッキングコイルと、磁気回路等を保持するアクチュエータベースとから構成される。
【００２５】
対物レンズアクチュエータ１２は、フォーカスコイル及びトラッキングコイルに所定の駆動電流を印加されることにより、２種類の対物レンズ１１のうち一の対物レンズを光ディスクの記録トラックに対してフォーカス方向（光ディスクの記録面に対して実質的に垂直な方向）及びトラッキング方向（光ディスクの記録トラックに対して実質的に垂直な方向）に駆動し、光ディスク上に所定の光スポットを形成する。この光スポットを用いて、光ディスクに情報が記録及び／又は光ディスクから情報が再生される。
【００２６】
図２に示すように、ヘッドカバー１４は、ヘッドベース１７に固定され、光学ヘッド３の上面をカバーする。ヘッドカバー１４は、板金部材等から構成され、２つの開口部１４ａ、１４ｂを有する。開口部１４ａは、ターンテーブル７にチャッキングされる光ディスクの半径方向と平行な方向（光学ヘッド３の移動方向（ラジアル方向）と直交する方向（タンジェンシャル方向））に沿って長辺を執する長方形の長孔である。開口部１４ｂは、対物レンズアクチュエータ１２の上面を露出する。なお、開口部１４ａの形状は、上記の例に特に限定されず、楕円形状、角部をＲ形状にした長方形形状等の種々の形状を採用することができ、また、その数も２以上の複数にしてもよい。また、開口部１４ａの領域を露出することができれば、開口部１４ａを省略してもよい。また、ヘッドカバー１４の形状も、上記の例に特に限定されず、種々の変更が可能であり、ヘッドカバー自体を省略したり、光学ヘッド３の裏面のみにヘッドカバーを設けるようにしてもよい。
【００２７】
図３に示すように、フレキシブル基板１５は、ヘッドベース１７に固定され、光学ヘッド３の上面の所定部分をカバーする。フレキシブル基板１５には、所定の信号及び電力供給に使用される複数の配線が形成されるとともに、開口部１５ａが形成されている。開口部１５ａは、ターンテーブル７にチャッキングされる光ディスクの半径方向と平行な方向（光学ヘッド３の移動方向と直交する方向）に沿って長辺を有する長方形の長孔であり、開口部１４ａと同一形状を有している。なお、開口部１５ａの形状は、上記の例に特に限定されず、楕円形状、角部をＲ形状にした長方形形状等の種々の形状を採用することができ、また、その数も２以上の複数にしてもよい。また、開口部１５ａの領域を露出することができれば、開口部１５ａを省略してもよい。また、フレキシブル基板１５の形状も、上記の例に特に限定されず、種々の変更が可能であり、フレキシブル基板自体を省略したり、光学ヘッド３の裏面のみにフレキシブル基板を設けるようにしてもよい。さらに、フレキシブル基板１５は、単層又は多層（例えば、２層又は３層）のフレキシブル基板のいずれを用いてもよい。
【００２８】
ステッピングモータ１３は、ヘッドベース１７に取り付けられ、コリメータレンズ１６を駆動する。ステッピングモータ１３には、開口部１４ａ及び開口部１５ａに対応する位置に開口部１３ａが形成され、開口部１３ａは、開口部１４ａ及び開口部１５ａと同一形状を有している。なお、開口部１３ａの形状は、上記の例に特に限定されず、楕円形状、角部をＲ形状にした長方形形状等の種々の形状を採用することができ、また、その数も２以上の複数にしてもよい。
【００２９】
また、図２は、光学ヘッド３が光ディスクに対して最内周位置にある状態を示しており、ステッピングモータ１３の開口部１３ａは、ステッピングモータ１３の長軸方向に沿って形成された長孔であり、光学ヘッド３が光ディスクに対して最内周位置にあるとき、開口部１３ａは、ターンテーブル７の外周円に接し且つ光学ヘッド３の移動方向ＭＤと直交する直線（ターンテーブル７の外周円のタンジェンシャル方向の接線）ＴＬより光ディスクの内周側すなわち光学ヘッド３の左斜め上の位置に配置されている。この場合、ステッピングモータ１３の長軸方向に沿って形成された開口部１３ａを介して光ディスクの回転による気流によってステータ及びロータを十分に空冷し、ステッピングモータ１３からの発熱を十分に放熱することができる。また、光学ヘッド３が光ディスクに対して最内周位置にあるとき、開口部１３ａすなわちステッピングモータ１３が直線ＴＬより光ディスクの内周側に位置しているので、対物レンズ１１をできるだけターンテーブル７側に近接させて配置し且つ対物レンズ１１等の光学部品を配置した残りのスペースにステッピングモータ１３を配置することができ、光学ヘッド３をより小型化することができる。
【００３０】
図４は、図１乃至図３に示す光学ヘッドの光学系の構成を示す模式図であり、図５は、図４に示す球面収差補正機構の構成を示す斜視図である。図４に示す光学ヘッド３は、対物レンズ１１ａ、１１ｂ（図１等に示す対物レンズ１１）、ステッピングモータ１３、半導体レーザ２１ａ、２１ｂ、偏光ビームスプリッター２２ａ、２２ｂ、２３、コリメータレンズ１６、立上ミラー２４ａ、２４ｂ、波長板２５ａ、２５ｂ、光検出器２６ａ、２６ｂ、３枚のギア３１〜３３、駆動シャフト３４、ラック部３５及び一対のガイド軸３６を備える。また、ステッピングモータ１３、３枚のギア３１〜３３、駆動シャフト３４、ラック部３５及び一対のガイド軸３６から球面収差補正機構が構成される。
【００３１】
ここで、本実施の形態では、光ディスク９として、保護層（光透過層）厚みが約０．１ｍｍのＢＤ、保護層厚みが約０．６ｍｍのＤＶＤ、及び保護層厚みが約１．２ｍｍのＣＤを用いるものとし、光学ヘッド３は、以下のようにして、３種類の光ディスクに対して情報を記録及び再生する。
【００３２】
まず、図４に示すように、ＣＤ又はＤＶＤに対しては、半導体レーザ２１ａは、２つの波長（６６０ｎｍ、７８０ｎｍ）のレーザ光のうち一方を出射し、偏光ビームスプリッター２２ａ、２３は、半導体レーザ２１ａからのレーザ光を透過してコリメータレンズ１６に導く。コリメータレンズ１６は、偏光ビームスプリッター２３からのレーザ光を平行光に変換して光ビームを立上ミラー２４ａへ導く。このとき、ステッピングモータ１３は、ＣＤ又はＤＶＤの保護層厚みに応じてコリメータレンズ１６の位置を調整し、球面収差が補正される。
【００３３】
具体的には、図５に示すように、ステッピングモータ１３は、３枚のギア３１〜３３を順次回転させて駆動シャフト３４を回転させる。駆動シャフト３４には、ネジ部が形成されており、このネジ部にラック部３５が係合して駆動シャフト３４の回転運動がラック部３５の直線運動に変換される。コリメータレンズ１６は、ラック部３５に保持され、ラック部３５は、ガイド軸３６により移動可能に支持されている。したがって、ラック部３５の移動とともにコリメータレンズ１６が移動され、光ディスク９の保護層厚みに応じてコリメータレンズ１６の位置が調整され、保護層厚みの差及びそのバラツキによる球面収差が補正される。なお、図５において、実線で示すコリメータレンズ１６の位置は、コリメータレンズ１６が最も偏光ビームスプリッター２３側に移動された位置であり、一点鎖線で示すコリメータレンズ１６の位置は、コリメータレンズ１６が最も立上ミラー２４ａ側に移動された位置である。
【００３４】
再び、図４を参照して、立上ミラー２４ａは、波長６６０ｎｍ又は７８０ｎｍのレーザ光を反射し、波長板２５ａを介して対物レンズ１１ａに導く。対物レンズ１１ａは、ＤＶＤ及びＣＤに対応したＮＡ０．６５の対物レンズであり、光ディスク９の記録面に所定の光スポットを形成する。光ディスク９の記録面によって反射された光ビームは、波長板２５ａを介して立上ミラー２４ａに導かれ、立上ミラー２４ａは、波長６６０ｎｍ又は７８０ｎｍのレーザ光を反射し、コリメータレンズ１６及び偏光ビームスプリッター２３を介して偏光ビームスプリッター２２ａに導く。偏光ビームスプリッター２２ａは、波長６６０ｎｍ又は７８０ｎｍのレーザ光を反射して光検出器２６ａに導き、光検出器２６ａは、波長６６０ｎｍ又は７８０ｎｍの反射光を検出する。
【００３５】
次に、ＢＤに対しては、半導体レーザ２１ｂは、波長４０５ｎｍのレーザ光を出射し、偏光ビームスプリッター２２ｂは、半導体レーザ２１ｂからのレーザ光を透過して偏光ビームスプリッター２３に導く。偏光ビームスプリッター２３は、波長４０５ｎｍのレーザ光を反射してコリメータレンズ１６に導く。コリメータレンズ１６は、偏光ビームスプリッター２３からのレーザ光を平行光に変換して光ビームを立上ミラー２４ａへ導く。このとき、上記と同様にして、ステッピングモータ１３は、ＢＤの保護層厚みに応じてコリメータレンズ１６の位置を調整し、球面収差が補正される。
【００３６】
立上ミラー２４ａは、波長４０５ｎｍのレーザ光を透過し、立上ミラー２４ｂは、波長４０５ｎｍのレーザ光を反射し、波長板２５ｂを介して対物レンズ１１ｂに導く。対物レンズ１１ｂは、ＢＤに対応したＮＡ０．８５の対物レンズであり、光ディスク９の記録面に所定の光スポットを形成する。光ディスク９の記録面により反射された光ビームは、波長板２５ｂを介して立上ミラー２４ｂに導かれ、立上ミラー２４ｂは、波長４０５ｎｍのレーザ光を反射し、立上ミラー２４ａに導く。立上ミラー２４ａは、波長４０５ｎｍのレーザ光を透過し、コリメータレンズ１６を介して偏光ビームスプリッター２３に導く。偏光ビームスプリッター２３、２２ｂは、波長４０５ｎｍのレーザ光を反射して光検出器２６ｂに導き、光検出器２６ｂは、波長４０５ｎｍの反射光を検出する。
【００３７】
また、図５に示すように、ステッピングモータ１３は、カバー４１、ステータ４２及びロータ４３（図７参照）を備える。ステッピングモータ１３の動作原理は、公知のステッピングと同様に、回転軸に取付けられた磁石からなるロータ４３の外周に、櫛歯形状のヨーク（例えば、８枚のヨーク）、ボビン及びコイルから構成される電磁石であるステータ４２を配置し、櫛歯形状のヨークの極性を順次切り替えていくことによりロータ４３を回転させるものである。
【００３８】
カバー４１は、ステータ４２及びロータ４３を内包してステータ４２及びロータ４３を保護する。カバー４１は、非磁性材料の樹脂又は板金部材等から構成され、円筒形状を有している。カバー４１には、ロータ４３の回転軸を回転可能に支持する軸受が設けられている。
【００３９】
通常の丸型モータでは、外装ケースが磁性を帯びていると、内部の磁気回路の効率が落ちる（外装ケース側に一部の磁気が飛ぶ）ため、磁性材料を用いて外装ケースを構成し、最後に焼鈍（やきなまし）することで磁気を取り、外装ケースを非磁性としている。一方、ステッピングモータ１３では、最初からカバー４１に非磁性材料（例えば、ＳＵＳ３０４系）を使用し、加工しても磁性を帯びない構成としている。このように、カバー４１に非磁性材料を用いる理由は、後で焼鈍すると、寸法変化及び歪みが発生するので、加工後の焼鈍ができず、また、カバー４１には開口部１３ａが形成されているので、カバー４１が磁性を帯びていると、磁気回路が不連続となり、非磁性材であることが必須となるからである。
【００４０】
また、カバー４１には、ヘッドカバー１４の開口部１４ａ及びフレキシブル基板１５の開口部１５ａに対応する位置に開口部１３ａが形成され、開口部１３ａと同一形状を有する開口部１３ｂ（図７参照）がカバー４１の光ディスクと反対側の位置すなわち光ディスク記録再生装置１の下側に形成されている。
【００４１】
開口部１３ａは、ターンテーブル７にチャッキングされる光ディスクの半径方向と平行な方向（光学ヘッド３の移動方向と直交する方向）に沿って長辺を有する長方形の長孔であり、ステータ４２の上面の一部（例えば、円筒側面の１／６以上の部分）を露出している。開口部１３ｂは、ターンテーブル７にチャッキングされる光ディスクの半径方向と平行な方向（光学ヘッド３の移動方向と直交する方向）に沿って長辺を有する長方形の長孔であり、ステータ４２の下面の一部（例えば、円筒側面の１／６以上の部分）を露出している。
【００４２】
ステータ４２のボビン及びロータ４３は、熱伝導性の樹脂等から構成される。この場合、後述するように、開口部１４ａから開口部１４ｂを通過する気流により、ステッピングモータ１３の駆動によってコイルに発生した熱を、ステータ４２及びロータ４３から効率よく外部に放熱することができる。
【００４３】
なお、開口部１３ａ、１３ｂの形状は、上記の例に特に限定されず、楕円形状、角部をＲ形状にした長方形形状等の種々の形状を採用することができ、また、その数も２以上の複数にしてもよい。また、カバー４１を省略してステータをカバーとして共用してもよく、この場合、ステータが全体的に露出され、ステッピングモータ１３の駆動によりコイルに発生した熱をステータ４２を介して効率よく外部に放熱することができる。また、カバーが省略された場合、ロータ４３の回転軸を回転可能に支持する軸受をステータ４２に設けるようにしてもよい。
【００４４】
さらに、本発明が適用されるモータは、上記のステッピングモータに特に限定されず、種々のステッピングモータを用いることができるとともに、ＤＣモータ等の他のモータを用いてもよい。また、光学ヘッド３として、３種類の光ディスクに対して情報を記録及び再生する光学ヘッドを例に説明したが、この例に特に限定されず、１種類、２種類又は４種類以上の光ディスクに対して情報を記録及び再生する光学ヘッドでも、光学部品を省略又は付加することにより、本発明を同様に適用することができる。また、本発明の可動部材としては、上記のコリメータレンズ１６に特に限定されず、光学ヘッド３に搭載される他の光学部品等を移動させるようにしてもよい。
【００４５】
本実施の形態では、ターンテーブル７が回転部材の一例に相当し、光学ヘッド３が光学ヘッドの一例に相当し、半導体レーザ２１ａ、２１ｂが光源の一例に相当し、対物レンズ１１（１１ａ、１１ｂ）が対物レンズの一例に相当し、対物レンズアクチュエータ１２が対物レンズアクチュエータの一例に相当し、コリメータレンズ１６が可動部材の一例に相当し、ステッピングモータ１３が駆動部材の一例に相当し、ヘッドベース１７が光学ベースの一例に相当し、ロータ４３がロータの一例に相当し、ステータ４２がステータの一例に相当する。また、カバー４１がカバー部材の一例に相当し、開口部１３ａ、１３ｂが開口部又は長孔の一例に相当し、ヘッドカバー１４がベースカバー部材の一例に相当し、開口部１４ａがベース用開口部の一例に相当し、送りモータ６が光学ヘッド移動部材の一例に相当し、メカニカルベース５がドライブベース部材の一例に相当し、ドライブカバー２がドライブカバー部の一例に相当し、開口部２ａがドライブ用開口部の一例に相当する。
【００４６】
次に、上記のように構成された光ディスク記録再生装置１におけるステッピングモータ１３の放熱動作について説明する。図６は、図１に示す光ディスク記録再生装置１における光ディスクの回転による気流の水平方向の流れを説明するための模式図であり、図７は、図１に示す光ディスク記録再生装置１における光ディスクの回転による気流の垂直方向の流れを説明するための断面模式図である。なお、図７に示すドライブケース１０は、図１において図示を省略したものであり、図１に示す光ディスク記録再生装置１の全体をカバーする略直方体形状のケースである。
【００４７】
光ディスク記録再生装置１の水平方向においては、図６に示すように、ターンテーブル７にチャッキングされた光ディスク９が回転方向（例えば、時計回り）ＲＤに回転されると、光ディスク９とドライブカバー２との間には、矢印で示す方向に気流ＡＦが流れる。この気流ＡＦは、ドライブカバー２の開口部２ａを介してヘッドカバー１４の開口部１４ａ（及びフレキシブル基板１５の開口部１５ａ）に導かれ、ステッピングモータ１３の開口部１３ａ内に流入する。
【００４８】
一方、光ディスク記録再生装置１の垂直方向においては、図７に示すように、ターンテーブル７にチャッキングされた光ディスク９が回転されると、光ディスク９とドライブカバー２との間に流れる気流は、ドライブカバー２の開口部２ａと、ヘッドカバー１４の開口部１４ａ及びフレキシブル基板１５の開口部１５ａとを介して、ステッピングモータ１３の上面に導かれる。このとき、ステッピングモータ１３のカバー４１の上面及び下面には、開口部１３ａ及び開口部１３ｂが形成され、また、８枚のステータ４２は、所定の空隙を確保しながら所定間隔でロータ４３の外周部に配置されている。したがって、ヘッドカバー１４の開口部１４ａ及びフレキシブル基板１５の開口部１５ａを介して流入する気流は、隣接するステータ４２間の空隙及びステータ４２とロータ４３との間の空隙に流れ込み、ロータ４３の回転によりステッピングモータ１３の内部を通過した後、ヘッドベース１７とドライブケース１０との間を図中の矢印方向へ流れる。さらに、ヘッドベース１７とドライブケース１０との間を流れる気流は、壁面５ａに形成された切り欠き部５ｂを介してメカニカルベース５の外部へ円滑に排気される。
【００４９】
このように、本実施の形態では、光ディスク９の回転による気流が、ドライブカバー２の開口部２ａ、ヘッドカバー１４の開口部１４ａ、フレキシブル基板１５の開口部１５ａカバー４１の開口部１３ａ及び開口部１３ｂの順に流れるので、ステッピングモータ１３の内部、すなわちステータ４２とロータ４３との間に空気を流すことができ、ステッピングモータ１３の駆動により発生した熱を効率よく放熱することができる。この結果、ステッピングモータ１３に十分な駆動電流を供給することができ、ステッピングモータ１３のトルクを向上することができる。
【００５０】
また、上記の気流は、光ディスク９とドライブカバー２との間からヘッドベース１７とドライブケース１０との間へ、すなわち光ディスク記録再生装置１の上方から下方へ流れていくので、ステッピングモータ１３の回転軸と軸受との接触部等の摺動部から発生する粉塵又は飛散する潤滑油等の異物を光ディスク９から遠ざかる方向へ移動させることができ、光ディスク９に対して情報を安定的に記録及び再生することができる。
【００５１】
さらに、ヘッドベース１７において、ステッピングモータ１３は、対物レンズ１１等の光学部品に対して気流の風下側に配置されているので、ステッピングモータ１３から発生する粉塵等の異物が対物レンズ１１等の光学部品に付着することを防止することができ、光ディスク９に対して情報をより安定的に記録及び再生することができる。
【００５２】
また、ステッピングモータ１３のカバー４１の上面及び下面をカットして開口部１３ａ及び開口部１３ｂを形成しているので、ステッピングモータ１３の高さを低くして光学ヘッド３を薄型化することができ、光ディスク記録再生装置１の薄型化を達成することができる。
【００５３】
なお、図７は、光学ヘッド３が光ディスク９の最内周側に位置しているときのステッピングモータ１３の状態を示しているが、光学ヘッド３が光ディスク９の最外周側に位置しているときは、ステッピングモータ１３が図中の右側に移動し且つ開口部１５ａが開口部２ａの右側に位置し、上記と同様に気流が流れ、上記と同様の効果を得ることができる。また、光ディスク９の回転方向及びステッピングモータ１３の回転方向も、上記の例に特に限定されず、種々の変更が可能である。
【００５４】
次に、本発明の第２の実施の形態による光ディスク記録再生装置について説明する。図８は、本発明の第２の実施の形態による光ディスク記録再生装置に用いられる開口部の構成を示す断面模式図である。なお、第２の実施の形態の光ディスク記録再生装置において、図８に示す部分以外の構成は、図１に示す光ディスク記録再生装置と同様であるので、その図示及び詳細な説明は省略する。
【００５５】
図８に示す光ディスク記録再生装置においては、ヘッドカバー１４の開口部１４ａの周縁のうち光ディスクの回転による気流の風上位置、すなわち、光ディスク９の外周側に位置する開口部１４ａの一辺には、ステッピングモータ１３の内側に気流を案内するための凹部（Ｃ面加工により形成された斜面）１４ｃが形成され、ヘッドカバー１４の開口部１４ａの周縁のうち光ディスクの回転による気流の風下位置、すなわち、光ディスク９の回転中心側に位置する開口部１４ａの一辺には、ステッピングモータ１３の内側に気流を案内するための凸部１４ｄが形成されている。
【００５６】
この場合、ドライブカバー２の開口部２ａを介して流入する気流は、凹部１４ｃの斜面に沿って円滑にステッピングモータ１３の内側へ導かれるとともに、凸部１４ｄに当接して効率よくステッピングモータ１３の内側へ導かれる。
【００５７】
このようにして、本実施の形態では、第１の実施の形態の効果に加え、ヘッドカバー１４の凹部１４ｃ及び凸部１４ｄにより、より多くの気流がステータ４２間の空隙及びステータ４２とロータ４３との間の空隙に効率よく流れ込み、ステッピングモータ１３の駆動によって発生した熱をより効率よく放熱することができる。
【００５８】
なお、気流を案内するための凹部及び凸部は、上記の例に特に限定されず、ヘッドカバー１４の開口部１４ａの他の辺にも凹部又は凸部を形成したり、ドライブカバー２の開口部２ａの周縁に形成したり、凹部及び凸部の一方のみを用いたりする等の種々の変更が可能である。
【００５９】
次に、本発明の第３の実施の形態による光ディスク記録再生装置について説明する。図９は、本発明の第３の実施の形態による光ディスク記録再生装置に用いられる開口部の構成を示す断面模式図である。なお、第３の実施の形態の光ディスク記録再生装置において、図９に示す部分以外の構成は、図１に示す光ディスク記録再生装置と同様であるので、その図示及び詳細な説明は省略する。
【００６０】
図９に示す光ディスク記録再生装置においては、ドライブカバー２、ヘッドカバー１４及びフレキシブル基板１５は、カバー４１の開口部１３ａに対向する位置に開口部を有しておらず、ステッピングモータ１３の上面は閉鎖されている。
【００６１】
この場合、光ディスク９の回転による気流は、ステッピングモータ１３及びヘッドベース１７の下面とドライブケース１０の下面との間を流れる。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。この結果、ステッピングモータ１３の駆動によって発生した熱を効率よく放熱することができる。
【００６２】
このようにして、本実施の形態では、第１の実施の形態の効果に加え、ドライブカバー２、ヘッドカバー１４及びフレキシブル基板１５によりステッピングモータ１３の上部が完全に閉鎖されているので、ステッピングモータ１３から発生する粉塵等の異物が光ディスク９、対物レンズ１１等の光学部品に付着することを確実に防止することができ、光ディスク９に対して情報をより安定的に記録及び再生することができる。
【００６３】
次に、本発明の第４の実施の形態による光ディスク記録再生装置について説明する。図１０は、本発明の第４の実施の形態による光ディスク記録再生装置に用いられる開口部の構成を示す断面模式図である。なお、第４の実施の形態の光ディスク記録再生装置において、図１０に示す部分以外の構成は、図１に示す光ディスク記録再生装置と同様であるので、その図示及び詳細な説明は省略する。
【００６４】
図１０に示す光ディスク記録再生装置においては、ドライブカバー２、ヘッドカバー１４及びフレキシブル基板１５は、ステッピングモータ１３の上面に対向する位置に開口部を有しておらず、また、ステッピングモータ１３のカバー４１ａは、下面のみに開口部１３ｂを有し、その上面は閉鎖されている。
【００６５】
この場合も、第３の実施の形態と同様に、光ディスク９の回転による気流が図示のように流れ、ステッピングモータ１３の駆動により発生した熱を効率よく放熱することができる。また、本実施の形態では、第３の実施の形態の効果に加え、ドライブカバー２、ヘッドカバー１４、フレキシブル基板１５及びカバー４１ａによりステッピングモータ１３の上部がより完全に閉鎖されているので、ステッピングモータ１３から発生する粉塵等の異物が光ディスク９、対物レンズ１１等の光学部品に付着することをより確実に防止することができ、光ディスク９に対して情報をさらに安定的に記録及び再生することができる。
【００６６】
次に、本発明の第５の実施の形態による光ディスク記録再生装置について説明する。図１１は、本発明の第５の実施の形態による光ディスク記録再生装置に用いられる開口部の構成を示す断面模式図である。なお、第５の実施の形態の光ディスク記録再生装置において、図１１に示す部分以外の構成は、図１に示す光ディスク記録再生装置と同様であるので、その図示及び詳細な説明は省略する。
【００６７】
図１１に示す光ディスク記録再生装置においては、ステッピングモータ１３のカバー４１ｂは、上面のみに開口部１３ａを有し、その下面は閉鎖されている。ドライブカバー２は、光学ヘッド３が光ディスク９に対する中間記録位置（又は中間再生位置）にあるときに、ヘッドカバー１４の開口部１４ａ、フレキシブル基板１５の開口部１５ａ及びカバー４１ｂの開口部１３ａに対応する位置に開口部２ｃを有しており、開口部２ｃは、開口部１４ａ、開口部１５ａ及び開口部１３ａと同一形状を有し、第１の実施の形態に用いた開口部２ａより小さくなっている。
【００６８】
この場合、ターンテーブル７にチャッキングされた光ディスク９が回転されると、光ディスク９とドライブカバー２との間に流れる気流は、ドライブカバー２の開口部２ｃを介してドライブカバー２とヘッドカバー１４との間に流れ込む。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。
【００６９】
この結果、本実施の形態では、第１の実施の形態と同様に、ステッピングモータ１３の駆動により発生した熱を効率よく放熱することができる。なお、本実施の形態では、開口部２ｃを光学ヘッド３の中間記録位置（又は中間再生位置）に設けたが、この例に特に限定されず、他の位置に設けてもよい。また、開口部２ｃの大きさを開口部１４ａ等と同一としたが、他の大きさの開口部を用いたり、複数の開口部を設けたりしてもよい。
【００７０】
次に、本発明の第６の実施の形態による光ディスク記録再生装置について説明する。図１２は、本発明の第６の実施の形態による光ディスク記録再生装置に用いられる開口部の構成を示す断面模式図である。なお、第６の実施の形態の光ディスク記録再生装置において、図１２に示す部分以外の構成は、図１に示す光ディスク記録再生装置と同様であるので、その図示及び詳細な説明は省略する。
【００７１】
図１２に示す光ディスク記録再生装置においては、ドライブカバー２及びフレキシブル基板１５は、カバー４１の開口部１３ａに対向する位置に開口部を有しておらず、一方、ヘッドカバー１４は、開口部１４ａを有しているが、開口部１４ａの位置にフレキシブル基板１５の湾曲部（凸状部分）１５ｂが位置し、湾曲部１５ｂにより開口部１４ａが閉鎖されており、ステッピングモータ１３の上面は閉鎖されている。
【００７２】
この場合、光ディスク９の回転による気流は、ステッピングモータ１３及びヘッドベース１７の下面とドライブケース１０の下面との間を流れる。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。この結果、ステッピングモータ１３の駆動によって発生した熱を効率よく放熱することができる。
【００７３】
また、ステッピングモータ１３のステータ４２の上部には、フレキシブル基板１５の湾曲部１５ｂのみが位置するため、フレキシブル基板１５の湾曲部１５ｂの上部からステッピングモータ１３の下部までの高さを低くして光学ヘッド３をより薄型化することができ、光ディスク記録再生装置１の薄型化を達成することができる。
【００７４】
さらに、湾曲部１５ｂには信号等を伝送するための配線１５ｃが内包されており、一般に配線を内包する部分は配線を内包しない部分より厚くなるが、本実施の形態では、配線１５ｃを内包する湾曲部１５ｂをヘッドカバー１４の開口部１４ａに配置しているので、湾曲部１５ｂの厚さをヘッドカバー１４の厚さまで厚くすることができ、多層配線（例えば、２層又は３層）を有するフレキシブル基板１５を用いても、フレキシブル基板１５の湾曲部１５ｂの上部からステッピングモータ１３の下部までの高さを低くして光学ヘッド３をより薄型化することができ、光ディスク記録再生装置１の薄型化を達成することができる。
【００７５】
このようにして、本実施の形態では、第１の実施の形態の効果に加え、ドライブカバー２及びフレキシブル基板１５によりステッピングモータ１３の上部が完全に閉鎖されているので、ステッピングモータ１３から発生する粉塵等の異物が光ディスク９、対物レンズ１１等の光学部品に付着することを確実に防止することができ、光ディスク９に対して情報をより安定的に記録及び再生することができる。また、フレキシブル基板１５の湾曲部１５ｂの上部からステッピングモータ１３の下部までの高さを低くして光学ヘッド３を薄型化することができ、光ディスク記録再生装置１の薄型化を達成することができる。
【００７６】
次に、本発明の第７の実施の形態による光ディスク記録再生装置について説明する。図１３は、本発明の第７の実施の形態による光ディスク記録再生装置に用いられる開口部の構成を示す断面模式図である。なお、第７の実施の形態の光ディスク記録再生装置において、図１３に示す部分以外の構成は、図１に示す光ディスク記録再生装置と同様であるので、その図示及び詳細な説明は省略する。
【００７７】
図１３に示す光ディスク記録再生装置においては、フレキシブル基板１５は、開口部１５ａを有しているが、ドライブカバー２及びヘッドカバー１４は、カバー４１の開口部１３ａに対向する位置に開口部を有しておらず、ステッピングモータ１３の上面は閉鎖されている。
【００７８】
この場合、光ディスク９の回転による気流は、ステッピングモータ１３及びヘッドベース１７の下面とドライブケース１０の下面との間を流れる。このとき、ステッピングモータ１３のロータ４３は、図中の両矢印のいずれか一方の方向に回転しているので、上記の気流がステッピングモータ１３の内部に吸引される。したがって、気流は、ステータ４２間の空隙及びステータ４２とロータ４３との間の空隙に流れ込み、ロータ４３の回転により図示の方向に沿ってステッピングモータ１３の外部へ排出される。この結果、ステッピングモータ１３の駆動によって発生した熱を効率よく放熱することができる。
【００７９】
また、フレキシブル基板１５の開口部１５ａの位置にカバー４１及びステータ４２の上端部が位置し、ステッピングモータ１３のステータ４２の上部には、ヘッドカバー１４のみが位置するため、ヘッドカバー１４の上部からステッピングモータ１３の下部までの高さを低くして光学ヘッド３をより薄型化することができ、光ディスク記録再生装置１の薄型化を達成することができる。
【００８０】
このようにして、本実施の形態では、第１の実施の形態の効果に加え、ドライブカバー２及びヘッドカバー１４によりステッピングモータ１３の上部が完全に閉鎖されているので、ステッピングモータ１３から発生する粉塵等の異物が光ディスク９、対物レンズ１１等の光学部品に付着することを確実に防止することができ、光ディスク９に対して情報をより安定的に記録及び再生することができる。また、ヘッドカバー１４の上部からステッピングモータ１３の下部までの高さを低くして光学ヘッド３を薄型化することができ、光ディスク記録再生装置１の薄型化を達成することができる。
【００８１】
上記の各実施の形態から、本発明を要約すると、本発明の一局面に従う光ディスク記録再生装置は、光ディスクを回転させるための回転部材と、前記光ディスクに対して情報を記録及び／又は再生するための光学ヘッドとを備え、前記光学ヘッドは、光を出射する光源と、前記光源から出射された光を前記光ディスク上に集光する対物レンズと、前記対物レンズを前記光ディスクのフォーカス方向及びトラッキング方向に駆動する対物レンズアクチュエータと、前記光源と前記対物レンズとの間の光路中に配置される可動部材と、前記可動部材を駆動する駆動部材と、前記光源、前記対物レンズアクチュエータ、前記可動部材及び前記駆動部材が搭載される光学ベースとを備え、前記駆動部材は、ロータ及びステータを備え、前記ステータの少なくとも一部が露出される。
【００８２】
この光ディスク記録再生装置においては、光ディスクに対して情報を記録及び／又は再生するための光学ヘッドに対して、光ディスクが回転されるので、光学ヘッドの周囲に気流が発生する。このとき、光学ヘッドの光学ベースには、光源、対物レンズアクチュエータ、可動部材及び駆動部材が搭載され、駆動部材のステータの少なくとも一部が露出されているので、上記の気流により駆動部材からの発熱を十分に放熱することができる。また、光ディスクの回転による気流は、光ディスクと空気との粘性により発生するものであり、光ディスクと空気との接触部分が気流の上流となり、光ディスクから離れる方向へ順次流れていくため、駆動部材から発生される粉塵等の異物も、この気流の流れに沿って光ディスクから遠ざかる方向へ排出されることとなり、駆動部材から発生される粉塵等の異物による悪影響を防止することができる。さらに、駆動部材のステータの少なくとも一部が露出され、当該露出部分に配置される部材を省略することができるので、駆動部材を小さくして光学ヘッドを薄型化することができ、光ディスク記録再生装置の薄型化を行うことができる。
【００８３】
前記駆動部材は、前記ロータ及び前記ステータを内包するカバー部材を備え、前記カバー部材は、前記ステータの少なくとも一部を露出する開口部を有することが好ましい。
【００８４】
この場合、カバー部材の開口部を介して光ディスクの回転による気流によりステータ及びロータが空冷され、駆動部材からの発熱を十分に放熱することができる。また、カバー部材は、開口部の部分だけ小さくすることができるので、光ディスク記録再生装置の薄型化を行うことができる。
【００８５】
前記開口部は、前記光ディスクの半径方向に略平行な方向に沿って形成された長孔を含むことが好ましい。
【００８６】
この場合、光ディスクの半径方向に略平行な方向に沿って形成された長孔を介して、光ディスクの回転による気流が十分に駆動部材へ供給されるので、駆動部材からの発熱を十分に放熱することができる。
【００８７】
前記長孔は、前記カバー部材の前記光ディスクに対向する位置に設けられることが好ましい。
【００８８】
この場合、カバー部材の光ディスクに対向する位置に長孔が設けられているので、光ディスクの回転による気流を直接的に駆動部材へ供給することができ、駆動部材からの発熱を十分に放熱することができる。
【００８９】
前記長孔は、前記カバー部材の前記光ディスクに対向する位置に設けられる第１の長孔と、前記カバー部材の前記光ディスクと反対側の位置に設けられる第２の長孔とを含むことが好ましい。
【００９０】
この場合、光ディスクの回転による気流は、第１の長孔を介して直接的に駆動部材へ供給され、その後、第２の長孔を介して、光ディスクから遠ざかる方向へ排出されるので、光ディスクの回転による気流を効率よく駆動部材へ供給することができるとともに、駆動部材から発生される粉塵等の異物による悪影響をより確実に防止することができる。
【００９１】
前記長孔は、前記カバー部材の前記光ディスクと反対側の位置に設けられることが好ましい。
【００９２】
この場合、カバー部材の光ディスクと反対側の位置に長孔が設けられているので、駆動部材から排出された気流が光ディスクと光学ヘッドとの間に直接的に流入することを防止することができ、駆動部材から発生される粉塵等の異物による悪影響をより確実に防止することができる。
【００９３】
前記カバー部材は、非磁性材料からなることが好ましい。
【００９４】
この場合、カバー部材から磁気を取るために焼鈍する必要がなくなり、寸法変化及び歪みの発生を抑制することができるとともに、カバー部材に開口部が形成されている場合でも、磁気回路が不連続になることがなく、磁気回路の効率を向上して駆動部材のトルクを向上することができる。
【００９５】
前記開口部は、前記駆動部材の長軸方向に沿って形成された長孔を含み、前記回転部材は、前記光ディスクが装着される円形形状のターンテーブルを含み、前記長孔は、前記光学ヘッドが前記光ディスクに対して最内周位置にあるとき、前記ターンテーブルの外周縁に接し且つ前記光学ヘッドの移動方向と直交する直線より前記光ディスクの内周側に位置することが好ましい。
【００９６】
この場合、駆動部材の長軸方向に沿って形成された長孔を介して光ディスクの回転による気流によってステータ及びロータを十分に空冷し、駆動部材からの発熱を十分に放熱することができる。また、光学ヘッドが光ディスクに対して最内周位置にあるとき、長孔すなわち駆動部材がターンテーブルの外周縁に接し且つ光学ヘッドの移動方向と直交する直線より光ディスクの内周側に位置しているので、対物レンズをできるだけターンテーブル側に近接させて配置し且つ対物レンズ等の光学部品を配置した残りのスペースに駆動部材を配置することができ、光学ヘッドをより小型化することができる。
【００９７】
前記光ディスク記録再生装置は、前記光学ベースに固定され、前記光学ベースの少なくとも一部を覆うベースカバー部材をさらに備え、前記ベースカバー部材は、前記カバー部材の開口部に対応する位置に設けられたベース用開口部を有することが好ましい。
【００９８】
この場合、光学ベースに配置される光源等の光学部品をベースカバー部材によって覆うことにより、光ディスクの回転により発生される粉塵等の異物が光源等の光学部品に付着することを防止することができるとともに、光ディスクの回転により発生される気流をベース用開口部を介して駆動部材に円滑に導くことができ、駆動部材からの発熱を十分に放熱することができる。
【００９９】
前記ベースカバー部材は、前記ベース用開口部の周縁のうち前記光ディスクの回転による気流の風上位置に、前記駆動部材の内側に気流を案内するための凹部を有することが好ましい。
【０１００】
この場合、光ディスクの回転により発生される気流がベース用開口部の凹部に沿って円滑に駆動部材の内側へ導かれるので、駆動部材からの発熱を十分に放熱することができる。
【０１０１】
前記ベースカバー部材は、前記ベース用開口部の周縁のうち前記光ディスクの回転による気流の風下位置に、前記駆動部材の内側に気流を案内するための凸部を有することが好ましい。
【０１０２】
この場合、光ディスクの回転により発生される気流がベース用開口部の凸部に当接して効率よく駆動部材の内側へ導かれるので、駆動部材からの発熱を十分に放熱することができる。
【０１０３】
前記光ディスク記録再生装置は、前記光学ヘッドを前記光ディスクの半径方向に移動させる光学ヘッド移動部材と、前記光学ヘッド、前記回転部材及び前記光学ヘッド移動部材を保持するドライブベース部材と、前記光学ヘッド、前記光学ヘッド移動部材及び前記ドライブベース部材の少なくとも一部を覆うドライブカバー部材とをさらに備え、前記ドライブカバー部材は、前記カバー部材の開口部に対向する位置に設けられたドライブ用開口部を有することが好ましい。
【０１０４】
この場合、光学ヘッド、光学ヘッド移動部材及びドライブベース部材等をドライブベース部材によって覆うことにより、光ディスクの回転により発生される粉塵等の異物が光学ヘッドの光学部品等に付着することを防止することができるとともに、光ディスクの回転により発生される気流をドライブ用開口部によって駆動部材に円滑に導くことができ、駆動部材からの発熱を十分に放熱することができる。
【０１０５】
前記駆動部材は、前記光学ベースにおける前記光ディスクの回転による気流の風下位置に配置されることが好ましい。
【０１０６】
この場合、光学ベースにおいて、駆動部材が光ディスクの回転による気流の風下位置に配置されるので、気流の風上位置に対物レンズ等の光学部品を配置することが可能となり、駆動部材から発生される粉塵等の異物が対物レンズ等の光学部品に付着することを防止することができ、より安定的に光ディスクに対して情報を記録及び／又は再生することができる。
【０１０７】
前記可動部材は、前記光学ヘッドの球面収差を補正するためのコリメータレンズを含むことが好ましい。
【０１０８】
この場合、コリメータレンズを駆動する駆動部材は、光学ヘッドの球面収差の補正のために常時駆動される傾向が高く、発熱量が大きくなるが、光ディスクの回転による気流によって駆動部材からの発熱を十分に放熱することができる。
【０１０９】
本発明の他の局面に従う光学ヘッドは、光を出射する光源と、前記光源から出射された光を光ディスク上に集光する対物レンズと、前記対物レンズを前記光ディスクのフォーカス方向及びトラッキング方向に駆動する対物レンズアクチュエータと、前記光源と前記対物レンズとの間の光路中に配置される可動部材と、前記可動部材を駆動する駆動部材と、前記光源、前記対物レンズアクチュエータ、前記可動部材及び前記駆動部材が搭載される光学ベースとを備え、前記駆動部材は、ロータ及びステータを備え、前記ステータの少なくとも一部が露出される。
【０１１０】
この光学ヘッドにおいては、当該光学ヘッドに対して光ディスクが回転されるので、光学ヘッドの周囲に気流が発生する。このとき、光学ヘッドの光学ベースには、光源、対物レンズアクチュエータ、可動部材及び駆動部材が搭載され、駆動部材のステータの少なくとも一部が露出されているので、上記の気流により駆動部材からの発熱を十分に放熱することができる。また、光ディスクの回転による気流は、光ディスクと空気との粘性により発生するものであり、光ディスクと空気との接触部分が気流の上流となり、光ディスクから離れる方向へ順次流れていくため、駆動部材から発生される粉塵等の異物も、この気流の流れに沿って光ディスクから遠ざかる方向へ排出されることとなり、駆動部材から発生される粉塵等の異物による悪影響を防止することができる。さらに、駆動部材のステータの少なくとも一部が露出され、当該露出部分に配置される部材を省略することができるので、駆動部材を小さくして光学ヘッドを薄型化することができ、光ディスク記録再生装置の薄型化を行うことができる。
【産業上の利用可能性】
【０１１１】
本発明に係る光学ヘッド及び光ディスク記録再生装置は、駆動部材からの発熱を十分に放熱できるとともに、駆動部材から発生される粉塵等の異物による悪影響を防止することができ、さらに、光ディスク記録再生装置の薄型化を行うことができるので、光ディスクに対して情報を記録及び／又は再生するための光学ヘッド及び該光学ヘッドを用いた光ディスク記録再生装置として有用である。
【図面の簡単な説明】
【０１１２】
【図１】本発明の第１の実施の形態による光ディスク記録再生装置の構成を示す斜視図である。
【図２】図１に示す光学ヘッドの構成を示す斜視図である。
【図３】図２に示す光学ヘッドからヘッドカバーを取り外した状態を示す斜視図である。
【図４】図１乃至図３に示す光学ヘッドの光学系の構成を示す模式図である。
【図５】図４に示す球面収差補正機構の構成を示す斜視図である。
【図６】図１に示す光ディスク記録再生装置における光ディスクの回転による気流の水平方向の流れを説明するための模式図である。
【図７】図１に示す光ディスク記録再生装置における光ディスクの回転による気流の垂直方向の流れを説明するための断面模式図である。
【図８】本発明の第２の実施の形態による光ディスク記録再生装置に用いられる開口部の構成を示す断面模式図である。
【図９】本発明の第３の実施の形態による光ディスク記録再生装置に用いられる開口部の構成を示す断面模式図である。
【図１０】本発明の第４の実施の形態による光ディスク記録再生装置に用いられる開口部の構成を示す断面模式図である。
【図１１】本発明の第５の実施の形態による光ディスク記録再生装置に用いられる開口部の構成を示す断面模式図である。
【図１２】本発明の第６の実施の形態による光ディスク記録再生装置に用いられる開口部の構成を示す断面模式図である。
【図１３】本発明の第７の実施の形態による光ディスク記録再生装置に用いられる開口部の構成を示す断面模式図である。
【図１４】従来の光ディスク記録再生装置に用いられるコリメータレンズ駆動機構の構成を示す斜視図である。
【手続補正３】
【補正対象書類名】図面
【補正対象項目名】全図
【補正方法】変更
【補正の内容】
【図１】
2008023575.tif 000017
【図２】
2008023575.tif 000018
【図３】
2008023575.tif 000019
【図４】
2008023575.tif 000020
【図５】
2008023575.tif 000021
【図６】
2008023575.tif 000022
【図７】
2008023575.tif 000023
【図８】
2008023575.tif 000024
【図９】
2008023575.tif 000025
【図１０】
2008023575.tif 000026
【図１１】
2008023575.tif 000027
【図１２】
2008023575.tif 000028
【図１３】
2008023575.tif 000029
【図１４】
2008023575.tif 000030